(57)【要約】【課題】複数の送信アンテナ間の消費電力バランスが崩れないようにすること。【解決手段】冗長化信号の送信電力より大きい電力で送信する第２の信号を生成する信号生成部と、第２の信号を第１の送信アンテナ向けに割り当て、該第２の信号と同じ時間領域に割り当てる前記冗長化信号の少なくとも一部を前記第１の送信アンテナ向けに割り当てず、該時間領域と同じ時間領域であって前記第１の送信アンテナ以外の送信アンテナ向けの領域に割り当てるマッピング部と、前記少なくとも一部の冗長化信号を生成する際は、１つの第１の信号から１又は２以上の冗長化信号を生成する冗長化部とを有し、前記少なくとも一部の冗長化信号の数は、同じ時間領域にある前記第２の信号を送信する電力の合計に対応して決まることを特徴とする。【選択図】図２
2009164961.tif 000002
【特許請求の範囲】
【請求項１】
１つの第１の信号から生成した２以上の冗長化信号を異なる２以上の送信アンテナから送信する無線送信装置と該無線装置から送信された信号を受信する無線受信装置とからなる無線通信システムにおいて、
前記無線送信装置は、
前記冗長化信号の送信電力より大きい電力で送信する第２の信号を生成する信号生成部と、
前記第２の信号を前記第１の送信アンテナ向けに割り当て、該第２の信号と同じ時間領域に割り当てる前記冗長化信号の少なくとも一部を前記第１の送信アンテナ向けに割り当てず、該時間領域と同じ時間領域であって前記第１の送信アンテナ以外の送信アンテナ向けの領域に割り当てるマッピング部と、
前記少なくとも一部の冗長化信号を生成する際は、１つの第１の信号から１又は２以上の冗長化信号を生成する冗長化部と
を備え、
前記無線受信装置は、
予め設定された前記少なくとも一部の冗長化信号を割り当てる時間及び周波数領域の情報に基づき、同一の前記第１の信号から生成された前記冗長化信号が割り当てられる時間及び周波数領域の信号を組にして出力するデマッピング部と、
前記デマッピング部が出力した信号の組を復号化し、前記第1の信号を生成する復号化部と
を備え、
前記少なくとも一部の冗長化信号の数は、同じ時間領域にある前記第２の信号を送信する電力の合計に対応して決まることを特徴とする無線通信システム。
【請求項２】
前記マッピング部は、前記少なくとも一部の冗長化信号を割り当てる時間及び周波数領域と同じ領域であって、前記第１の送信アンテナ向けの領域に信号を割り当てないことを特徴とする請求項１に記載の無線通信システム。
【請求項３】
前記マッピング部は、同一の前記第1の信号から生成された前記少なくとも一部の冗長化信号を第２の前記送信アンテナ向けと第３の前記送信アンテナ向けとに割り当てることを特徴とする請求項１及び請求項２に記載の無線通信システム。
【請求項４】
前記冗長化部は、前記少なくとも一部の冗長化信号を生成する際は、前記第１の信号と同一の冗長化信号を生成し、
前記マッピング部は、前記冗長化部が生成した同一の冗長化信号を第２の前記送信アンテナと第３の前記送信アンテナ向けの異なる周波数領域に割り当て、
前記デマッピング部は、予め設定された前記少なくとも一部の冗長化信号を割り当てる時間及び周波数領域の情報に基づき、前記異なる周波数領域に割り当てられた信号を組にして出力することを特徴とする請求項３に記載の無線通信システム。
【請求項５】
前記冗長化部は、前記少なくとも一部の冗長化信号を生成する際は、前記第１の信号の２つを空間周波数ブロック符号化して２つの冗長化信号のペアを生成し、
前記マッピング部は、前記２つの冗長化信号のペアを前記第２の送信アンテナと前記第３の送信アンテナ向けの同じ周波数領域に１つずつ割り当て、
前記デマッピング部は、予め設定された前記少なくとも一部の冗長化信号を割り当てる時間及び周波数領域の情報に基づき、前記周波数領域に割り当てられた信号を組にして出力することを特徴とする請求項３に記載の無線通信システム。
【請求項６】
前記マッピング部は、前記少なくとも一部の冗長化信号を割り当てる時間領域であって、該冗長化信号を割り当てるアンテナ向けの領域には、前記第２の信号を割り当てないことを特徴とする請求項１乃至５のいずれか１の項に記載の無線通信システム。
【請求項７】
前記第２の信号は、前記無線受信装置が伝搬路推定に用いる参照信号であることを特徴とする請求項１乃至６のいずれか１の項に記載の無線通信システム。
【請求項８】
前記第１の信号を２つの信号ごとに空間周波数ブロック符号化して生成した２つの冗長化信号のペアを、第１の送信アンテナと第２の送信アンテナ向けの同じ周波数領域に１つずつ割り当てる前記２つの冗長化信号のペアと、第３の送信アンテナと第４の送信アンテナ向けの同じ周波数領域に１つずつ割り当てる前記２つの冗長化信号のペアとで送信する無線送信装置と該無線装置から送信された信号を受信する無線受信装置とからなる無線通信システムにおいて、
前記無線送信装置は、
前記冗長化信号の送信電力より大きい電力で送信する第２の信号を生成する信号生成部と、
前記第２の信号を前記第１の送信アンテナ向けと第４の送信アンテナ向けとに割り当て、該第２の信号と同じ時間領域に割り当てる前記冗長化信号の少なくとも一部を前記第１の送信アンテナ向けと第４の送信アンテナ向けとに割り当てず、該時間領域と同じ時間領域であって前記第２の送信アンテナ向けの領域と第３の送信アンテナ向けの領域とに割り当てるマッピング部と、
前記少なくとも一部の冗長化信号を生成する際は、１つの第１の信号から１又は２以上の冗長化信号を生成する冗長化部と
を備え、
前記無線受信装置は、
予め設定された前記少なくとも一部の冗長化信号を割り当てる時間及び周波数領域の情報に基づき、同一の前記第１の信号から生成された前記冗長化信号が割り当てられる時間及び周波数領域の信号を組にして出力するデマッピング部と、
前記デマッピング部が出力した信号の組を復号化し、前記第1の信号を生成する復号化部と
を備え、
前記少なくとも一部の冗長化信号の数は、同じ時間領域にある前記第２の信号を送信する電力の合計に対応して決まり、
前記第２の送信アンテナ向けの領域と第３の送信アンテナ向けの領域に割り当てられる前記冗長化信号の少なくとも一部は、同一の前記第1の信号から生成されることを特徴とする無線通信システム。
【請求項９】
１つの第１の信号から生成した２以上の冗長化信号を異なる２以上の送信アンテナから送信する無線送信装置において、
前記冗長化信号の送信電力より大きい電力で送信する第２の信号を生成する信号生成部と、
前記第２の信号を前記第１の送信アンテナ向けに割り当て、該第２の信号と同じ時間領域に割り当てる前記冗長化信号の少なくとも一部を前記第１の送信アンテナ向けに割り当てず、該時間領域と同じ時間領域であって前記第１の送信アンテナ以外の送信アンテナ向けの領域に割り当てるマッピング部と、
前記少なくとも一部の冗長化信号を生成する際は、１つの第１の信号から１又は２以上の冗長化信号を生成する冗長化部と
を備え、
前記少なくとも一部の冗長化信号の数は、同じ時間領域にある前記第２の信号を送信する電力の合計に対応して決まることを特徴とする無線送信装置。
【請求項１０】
無線送信装置が１つの第１の信号から生成した２以上の冗長化信号を異なる２以上の送信アンテナから送信した信号を受信する無線受信装置において、
予め設定された前期冗長化信号の少なくとも一部を割り当てる時間及び周波数領域の情報に基づき、同一の前記第１の信号から生成された前記冗長化信号が割り当てられる時間及び周波数領域の信号を組にして出力するデマッピング部と、
前記デマッピング部が出力した信号の組を復号化し、前記第1の信号を生成する復号化部と
を備える無線受信装置。
【請求項１１】
前記デマッピング部は、前記時間及び周波数領域に割り当てられる前記少なくとも一部の冗長化信号の有無により、同一の前記第１の信号から生成された該冗長化信号の組を特定し、該特定した信号の組を出力することを特徴とする請求項１０に記載の無線受信装置。
【請求項１２】
１つの第１の信号から生成した２以上の冗長化信号を異なる２以上の送信アンテナから送信する無線送信装置と該無線装置から送信された信号を受信する無線受信装置とからなる無線通信システムにおいて、
前記冗長化信号の送信電力より大きい電力で送信する第２の信号を生成する第１の過程と、
前記第２の信号を前記第１の送信アンテナ向けに割り当て、該第２の信号と同じ時間領域に割り当てる前記冗長化信号の少なくとも一部を前記第１の送信アンテナ向けに割り当てず、該時間領域と同じ時間領域であって前記第１の送信アンテナ以外の送信アンテナ向けの領域に割り当てる第２の過程と、
前記少なくとも一部の冗長化信号を生成する際は、１つの第１の信号から１又は２以上の冗長化信号を生成する第３の過程と
予め設定された前記少なくとも一部の冗長化信号を割り当てる時間及び周波数領域の情報に基づき、同一の前記第１の信号から生成された前記冗長化信号が割り当てられる時間及び周波数領域の信号を組にして出力する第４の過程と、
第４の過程が出力した信号の組を復号化し、前記第1の信号を生成する第５の過程と
を有し、
前記少なくとも一部の冗長化信号の数は、同じ時間領域にある前記第２の信号を送信する電力の合計に対応して決まることを特徴とする無線通信方法。
【請求項１３】
１つの第１の信号から生成した２以上の冗長化信号を異なる２以上の送信アンテナから送信する無線送信装置のコンピュータに、
前記冗長化信号の送信電力より大きい電力で送信する第２の信号を生成する手段と、
前記第２の信号を前記第１の送信アンテナ向けに割り当て、該第２の信号と同じ時間領域に割り当てる前記冗長化信号の少なくとも一部を前記第１の送信アンテナ向けに割り当てず、該時間領域と同じ時間領域であって前記第１の送信アンテナ以外の送信アンテナ向けの領域に割り当てる手段と、
前記少なくとも一部の冗長化信号を生成する際は、１つの第１の信号から１又は２以上の冗長化信号を生成する手段と
を実行させ、
前記少なくとも一部の冗長化信号の数は、同じ時間領域にある前記第２の信号を送信する電力の合計に対応して決まることを特徴とする無線送信プログラム。
【請求項１４】
無線送信装置が１つの第１の信号から生成した２以上の冗長化信号を異なる２以上の送信アンテナから送信した信号を受信する無線受信装置のコンピュータに、
予め設定された前期冗長化信号の少なくとも一部を割り当てる時間及び周波数領域の情報に基づき、同一の前記第１の信号から生成された前記冗長化信号が割り当てられる時間及び周波数領域の信号を組にして出力する手段と、
前記出力された信号の組を復号化し、前記第1の信号を生成する手段と
を実行させる無線受信プログラム。
【発明の詳細な説明】
【技術分野】
【０００１】
本発明は、無線通信システム、無線通信方法、無線送信装置、無線送信プログラム、無線受信装置、及び無線受信プログラムに関する。
【背景技術】
【０００２】
セルラー移動通信の第三世代（３ｒｄ  Ｇｅｎｅｒａｔｉｏｎ：３Ｇ）無線アクセス方式として、Ｗ−ＣＤＭＡ（Ｗｉｄｅｂａｎｄ  Ｃｏｄｅ  Ｄｉｖｉｓｉｏｎ  Ｍｕｌｔｉｐｌｅｘ  Ａｃｃｅｓｓ：広帯域コード分割多元接続）方式が３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナシッププロジェクト）において標準化され、同方式によるセルラー移動通信サービスが開始されている。また３Ｇの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ；以下、「ＥＵＴＲＡ」と称する)及び３Ｇネットワークの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）が検討されている。ＥＵＴＲＡの下りリンクとして、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多元接続）方式が提案されている。
ＥＵＴＲＡの下りリンクは、下りリンクパイロットチャネル、下りリンク同期チャネル、下りリンク共有データチャネル、下りリンク制御チャネル、報知チャネル、マルチキャストチャネル、制御フォーマットインディケータチャネル、及びＨＡＲＱ（Ｈｙｂｒｉｄ  Ａｕｔｏｍａｔｉｃ  Ｒｅｐｅａｔ  ｒｅＱｕｅｓｔ)インディケータチャネルを備える。非特許文献１には、ＥＵＴＲＡで検討されている下りリンクにおける無線フレームの構成やパイロットチャネルの配置について記載されている。
【０００３】
また、ＥＵＴＲＡでは、基地局装置毎にパイロットシグナルの電力をデータ信号と制御信号の電力よりも上げること（電力よりも大きくすること）が検討されている(非特許文献２)。パイロットシグナルは伝搬路を推定する以外にも、移動局装置が初期接続時またはハンドオーバー時に通信する基地局装置を選ぶため、また基地局装置が移動局装置に送信するデータ信号の変調方式・符号化率を選ぶため、また基地局装置が周波数選択スケジューリングを行うために用いる受信品質情報を移動局装置が測定するために参照される。そこで、パイロットシグナルの電力を上げることで、田舎などの障害物が少ない地域において移動局装置に要求される伝搬路推定精度および受信品質情報の測定精度を維持しつつ、基地局装置と移動局装置が良好に通信できる地理的範囲を広げることができる。パイロットシグナルの電力をどれだけ上げるかは、地理的範囲に関わる伝搬路の状況に応じて基地局装置が決定し、基地局装置配置時、または基地局装置管理内の移動局装置の地理的状況に応じて制御する。そして、パイロットシグナルの電力を上げることに伴い、データ信号と制御信号の電力を下げる（電力を小さくする）、又は、データ信号と制御信号を間引くことが検討され、下りリンク共有データチャネルは、データ信号と制御信号を間引くことが考えられている（非特許文献３）。なお、パイロットシグナルの電力は移動局装置のハードウェア及び処理の複雑さを避けるという観点から時間領域と周波数領域とで一定であることが望ましいとされている。
さらに、ＥＵＴＲＡでは、データ通信用のその他の信号に比べて、パイロットシグナルの電力を大きく設定した場合、各基地局装置が送信する電力を大きくしたパイロットシグナル同士の衝突を防いで伝搬路推定精度などを改善するために、パイロットシグナルの配置を各基地局装置で独自にずらす（シフティング）機能が検討されている。
【０００４】
このような下りリンクにおいて、下りリンク制御チャネルや下りリンク共有データチャネルに対して送信ダイバーシチの適用が検討され、４本の送信アンテナを用いた送信ダイバーシチ方式としてＳＦＢＣ（Ｓｐａｃｅ  Ｆｒｅｑｕｅｎｃｙ  Ｂｌｏｃｋ  Ｃｏｄｅ：空間周波数ブロック符号）とＦＳＴＤ（Ｆｒｅｑｕｅｎｃｙ  Ｓｗｉｔｃｈｅｄ  Ｔｒａｎｓｍｉｔ  Ｄｉｖｅｒｓｉｔｙ：周波数切換送信ダイバーシチ）の適用が検討されている。
なお、下りリンク制御チャネルにおいては、下りリンク共有データチャネルとは異なり、制御信号のリソースエレメント（物理リソース）への配置は、まず周波数の低い領域において、４つのリソースエレメントのグループを時間領域より順々に配置し、時間領域で下りリンク制御チャネルに割り当てられた全てのＯＦＤＭシンボルに配置したら、次の周波数領域の最初のＯＦＤＭシンボルから順々に制御信号を配置することを繰り返す。（非特許文献４）
【非特許文献１】３ＧＰＰ ＴＳ３６．２１１−ｖ２．０．０、Ｐｈｙｓｉｃａｌ Ｃｈａｎｎｅｌｓ ａｎｄ Ｍｏｄｕｌａｔｉｏｎ(Ｒｅｌｅａｓｅ ８)
【非特許文献２】３ＧＰＰ ＴＳＧ ＲＡＮ１ ＃４８、 Ｓｔ． Ｌｏｕｉｓ、 ＵＳＡ、 １２−１６ Ｆｅｂｒｕａｒｙ、 ２００７ “Ｐｏｗｅｒ Ｂｏｏｓｔｉｎｇ ｏｆ Ｒｅｆｅｒｅｎｃｅ Ｓｉｇｎａｌ ｉｎ Ｅ−ＵＴＲＡ Ｄｏｗｎｌｉｎｋ”
【非特許文献３】３ＧＰＰ ＴＳＧ ＲＡＮ１ ＃４８ｂｉｓ、 Ｓｔ． Ｊｕｌｉａｎ、 Ｍａｌｔａ、 ２６−３０ Ｍａｒｃｈ、 ２００７ “Ｄｒａｆｔ Ｒｅｐｏｒｔ ｏｆ ３ＧＰＰ ＴＳＧ ＲＡＮ ＷＧ１ ＃４８ｂ ｖ０．１．０
【非特許文献４】３ＧＰＰ ＴＳＧ ＲＡＮ１ ＃５０ｂｉｓ、 Ｓｈａｎｇｈａｉ、 Ｃｈｉｎａ、 ８−１２ Ｏｃｔｏｂｅｒ、 ２００７ “Ｄｒａｆｔ Ｒｅｐｏｒｔ ｏｆ ３ＧＰＰ ＴＳＧ ＲＡＮ ＷＧ１ ＃５０ｂ ｖ０．１．０
【発明の開示】
【発明が解決しようとする課題】
【０００５】
しかし、複数の送信アンテナを用いた無線システムにおいて、複数の送信アンテナのうち一部の送信アンテナが送信するパイロットシグナルの送信電力をデータ信号と制御信号の電力より上げると、アンテナ間の消費電力のバランスが崩れてしまう。このとき、消費電力の低い送信アンテナでは、無線送信装置の電力を有効に利用することができず、送信するデータ信号の量が減る。
特に、一つの情報を冗長化して複数アンテナから送信をする無線システムにおいて、パイロットシグナルを送信する送信アンテナ向けに割り当てる冗長化したデータ信号を間引いて該送信アンテナの消費電力を一定に保つとき、パイロットシグナルを送信しないアンテナ向けに割り当てた冗長化したデータ信号を間引いてしまうと、さらに、アンテナ間の消費電力のバランスが崩れてしまう。
【０００６】
以下、具体的な例について説明する。図３１は、送信アンテナＴｘ１〜Ｔｘ４を有する無線システムにおける各送信アンテナの信号の配置を説明する図である。図３１（ａ）〜（ｃ）において、縦軸が周波数であり、横軸がアンテナであり、図は各送信アンテナの下りリンク共有データチャネルにおける所定の時間のＯＦＤＭシンボルを表わしている。また、Ｒ１、Ｒ２は、それぞれ送信アンテナＴｘ１、送信アンテナＴｘ２のパイロットシグナルである。
ここで、送信アンテナＴｘ１と送信アンテナＴｘ３、及び、送信アンテナＴｘ２と送信アンテナＴｘ４は、２つのデータ信号（Ｓ１、Ｓ２）及び（Ｓ３、Ｓ４）に対し、共役転置と符号反転を施した空間周波数ブロック符号ＳＦＢＣ処理を施し、それぞれ、冗長化した２つのＳＦＢＣペアであるデータ信号（Ｓ１、−Ｓ２＊）と（Ｓ２、Ｓ１＊）、（Ｓ３、−Ｓ４＊）と（Ｓ４、Ｓ３＊）を、図のように配置をした周波数切換送信ダイバーシチＦＳＴＤ処理をして送信する。また、データ信号の電力を「１」とし、データ信号を間引かず、電力を上げる前のパイロットシグナルの電力を「１」とする。ここで＊は、共役複素数を示す。
【０００７】
図３１（ａ）は、データ信号を間引かないときの図である。図３１（ａ）において、パイロットシグナルを送信する送信アンテナＴｘ１と送信アンテナＴｘ２に対応するＯＦＤＭシンボルには、パイロットシグナルが２つ、データ信号が４つ配置されるので、送信アンテナＴｘ１と送信アンテナＴｘ２が送信するＯＦＤＭシンボルの電力は「６」である。一方、パイロットシグナルを送信しない送信アンテナＴｘ３と送信アンテナＴｘ４に対応するＯＦＤＭシンボルには、データ信号が４つ配置されるので、送信アンテナＴｘ３と送信アンテナＴｘ４が送信するＯＦＤＭシンボルの電力は「４」となる。
【０００８】
図３１（ｂ）は、送信アンテナＴｘ１と送信アンテナＴｘ２で、それぞれ、データ信号を２つずつ間引くときの図である。
ここで、送信アンテナＴｘ１では、図３１（ａ）に比べ、周波数軸で周波数が小さい方から１番目と２番目のサブキャリアに配置された２つのデータ信号（Ｓ１、−Ｓ２＊）を配置せず、間引いている。そして、送信アンテナＴｘ３でも、該データ信号（Ｓ１、−Ｓ２＊）と同一の情報である同じ周波数領域にあるデータ信号（Ｓ２、Ｓ１＊）を間引いている。
また、同様に、送信アンテナＴｘ２では、図３１（ａ）に比べ、周波数軸で周波数が小さい方から５番目と６番目のサブキャリアに配置された２つのデータ信号（Ｓ３、−Ｓ４＊）を間引き、送信アンテナＴｘ４では、同一の情報である同じ周波数領域にあるデータ信号（Ｓ４、Ｓ３＊）を間引いている。
なお、パイロットシグナルを送信する送信アンテナＴｘ１と送信アンテナＴｘ２に対応するＯＦＤＭシンボルにおいて、間引いたデータ信号の電力をパイロットシグナルの電力を上げるために使うので、パイロットシグナルの電力は「２」となる。
【０００９】
図３１（ｂ）において、パイロットシグナルを送信する送信アンテナＴｘ１とＴｘ２に対応するＯＦＤＭシンボルには、電力が「２」のパイロットシグナル２つ、電力が「１」のデータ信号が２つ配置されるので、送信アンテナＴｘ１と送信アンテナＴｘ２が送信するＯＦＤＭシンボルの電力は「６」となる。一方、パイロットシグナルを送信しない送信アンテナＴｘ３と送信アンテナＴｘ４に対応するＯＦＤＭシンボルには、電力が「１」のデータ信号が２つ配置されるので、送信アンテナＴｘ３と送信アンテナＴｘ４が送信するＯＦＤＭシンボルの電力は「２」となる。
【００１０】
図３１（ｃ）は、送信アンテナＴｘ１と送信アンテナＴｘ２で、それぞれ、データ信号を４つずつ間引くときの図である。
ここで、送信アンテナＴｘ１では、図３１（ａ）に比べ、周波数軸で周波数が小さい方から１番目と２番目と８番目と９番目のサブキャリアに配置された４つのデータ信号（Ｓ１、−Ｓ２＊）と（Ｓ１、−Ｓ２＊）を間引いている。そして、送信アンテナＴｘ３でも、該データ信号（Ｓ１、−Ｓ２＊）と同一の情報である同じ周波数領域にあるデータ信号（Ｓ２、Ｓ１＊）を間引いている。
また、同様に、送信アンテナＴｘ２では、図３１（ａ）に比べ、周波数軸で周波数が小さい方から５番目と６番目と１１番目と１２番目にのサブキャリアに４つのデータ信号（Ｓ３、−Ｓ４＊）と（Ｓ３、−Ｓ４＊）を間引き、同一の情報である同じ周波数領域にあるデータ信号（Ｓ４、Ｓ３＊）を間引いている。
なお、パイロットシグナルを送信する送信アンテナＴｘ１と送信アンテナＴｘ２対応するＯＦＤＭシンボルにおいて、間引いたデータ信号の電力をパイロットシグナルの電力を上げるために使うので、パイロットシグナルの電力は「３」となる。
【００１１】
図３１（ｃ）において、パイロットシグナルを送信する送信アンテナＴｘ１と送信アンテナＴｘ２に対応するＯＦＤＭシンボルには、電力が「３」のパイロットシグナル２つ配置され、データ信号が配置されないので、送信アンテナＴｘ１と送信アンテナＴｘ２が送信するＯＦＤＭシンボルの電力は「６」となる。一方、パイロットシグナルを送信しない送信アンテナＴｘ３と送信アンテナＴｘ４に対応するＯＦＤＭシンボルには、信号が配置されず、送信アンテナＴｘ３と送信アンテナＴｘ４が送信するＯＦＤＭシンボルの電力は「０」となる。また、図３１（ｃ）では、パイロットシグナル以外の信号が配置できず、信号の送信ができなくなるという欠点がある。
【００１２】
本発明は上記の点に鑑みてなされたものであり、その目的は、アンテナ間の消費電力のバランスを保つことですべての送信アンテナで無線送信装置の電力を有効に利用し、データ信号の量を減らさずにデータ信号を送信する無線通信システム、無線通信方法、無線送信装置、無線送信プログラム、無線受信装置、及び無線受信プログラムを提供することにある。
【課題を解決するための手段】
【００１３】
（１）本発明は上記の課題を解決するためになされたものであり、その一態様は、１つの第１の信号から生成した２以上の冗長化信号を異なる２以上の送信アンテナから送信する無線送信装置と該無線装置から送信された信号を受信する無線受信装置とからなる無線通信システムにおいて、前記無線送信装置は、前記冗長化信号の送信電力より大きい電力で送信する第２の信号を生成する信号生成部と、前記第２の信号を前記第１の送信アンテナ向けに割り当て、該第２の信号と同じ時間領域に割り当てる前記冗長化信号の少なくとも一部を前記第１の送信アンテナ向けに割り当てず、該時間領域と同じ時間領域であって前記第１の送信アンテナ以外の送信アンテナ向けの領域に割り当てるマッピング部と、前記少なくとも一部の冗長化信号を生成する際は、１つの第１の信号から１又は２以上の冗長化信号を生成する冗長化部とを備え、前記無線受信装置は、予め設定された前記少なくとも一部の冗長化信号を割り当てる時間及び周波数領域の情報に基づき、同一の前記第１の信号から生成された前記冗長化信号が割り当てられる時間及び周波数領域の信号を組にして出力するデマッピング部と、前記デマッピング部が出力した信号の組を復号化し、前記第1の信号を生成する復号化部とを備え、前記少なくとも一部の冗長化信号の数は、同じ時間領域にある前記第２の信号を送信する電力の合計に対応して決まることを特徴とする無線通信システムである。
上記構成によると、冗長化信号の一部を有効に送信アンテナに割り当て、アンテナ間の消費電力のバランスを保つことで、無線送信装置の電力を有効に利用し、データ信号の量を減らさずにデータ信号を送信することができる。
【００１４】
（２）また、本発明の一態様は、上記無線通信システムにおいて、前記マッピング部は、前記少なくとも一部の冗長化信号を割り当てる時間及び周波数領域と同じ領域であって、前記第１の送信アンテナ向けの領域に信号を割り当てないことを特徴とする。
【００１５】
（３）また、本発明の一態様は、上記無線通信システムにおいて、前記マッピング部は、同一の前記第1の信号から生成された前記少なくとも一部の冗長化信号を第２の前記送信アンテナ向けと第３の前記送信アンテナ向けとに割り当てることを特徴とする。
【００１６】
（４）また、本発明の一態様は、上記無線通信システムにおいて、前記冗長化部は、前記少なくとも一部の冗長化信号を生成する際は、前記第１の信号と同一の冗長化信号を生成し、前記マッピング部は、前記冗長化部が生成した同一の冗長化信号を第２の前記送信アンテナと第３の前記送信アンテナ向けの異なる周波数領域に割り当て、前記デマッピング部は、予め設定された前記少なくとも一部の冗長化信号を割り当てる時間及び周波数領域の情報に基づき、前記異なる周波数領域に割り当てられた信号を組にして出力することを特徴とする。
【００１７】
（５）また、本発明の一態様は、上記無線通信システムにおいて、前記冗長化部は、前記少なくとも一部の冗長化信号を生成する際は、前記第１の信号の２つを空間周波数ブロック符号化して２つの冗長化信号のペアを生成し、前記マッピング部は、前記２つの冗長化信号のペアを前記第２の送信アンテナと前記第３の送信アンテナ向けの同じ周波数領域に１つずつ割り当て、前記デマッピング部は、予め設定された前記少なくとも一部の冗長化信号を割り当てる時間及び周波数領域の情報に基づき、前記周波数領域に割り当てられた信号を組にして出力することを特徴とする。
【００１８】
（６）また、本発明の一態様は、上記無線通信システムにおいて、前記第２の信号は、前記無線受信装置が伝搬路推定に用いる参照信号であることを特徴とする。
【００１９】
（７）また、本発明の一態様は、前記第１の信号を２つの信号ごとに空間周波数ブロック符号化して生成した２つの冗長化信号のペアを、第１の送信アンテナと第２の送信アンテナ向けの同じ周波数領域に１つずつ割り当てる前記２つの冗長化信号のペアと、第３の送信アンテナと第４の送信アンテナ向けの同じ周波数領域に１つずつ割り当てる前記２つの冗長化信号のペアとで送信する無線送信装置と該無線装置から送信された信号を受信する無線受信装置とからなる無線通信システムにおいて、前記無線送信装置は、前記冗長化信号の送信電力より大きい電力で送信する第２の信号を生成する信号生成部と、前記第２の信号を前記第１の送信アンテナ向けと第４の送信アンテナ向けとに割り当て、該第２の信号と同じ時間領域に割り当てる前記冗長化信号の少なくとも一部を前記第１の送信アンテナ向けと第４の送信アンテナ向けとに割り当てず、該時間領域と同じ時間領域であって前記第２の送信アンテナ向けの領域と第３の送信アンテナ向けの領域とに割り当てるマッピング部と、前記少なくとも一部の冗長化信号を生成する際は、１つの第１の信号から１又は２以上の冗長化信号を生成する冗長化部とを備え、前記無線受信装置は、予め設定された前記少なくとも一部の冗長化信号を割り当てる時間及び周波数領域の情報に基づき、同一の前記第１の信号から生成された前記冗長化信号が割り当てられる時間及び周波数領域の信号を組にして出力するデマッピング部と、前記デマッピング部が出力した信号の組を復号化し、前記第1の信号を生成する復号化部とを備え、前記少なくとも一部の冗長化信号の数は、同じ時間領域にある前記第２の信号を送信する電力の合計に対応して決まり、前記第２の送信アンテナ向けの領域と第３の送信アンテナ向けの領域に割り当てられる前記冗長化信号の少なくとも一部は、同一の前記第1の信号から生成されることを特徴とする無線通信システムである。
【００２０】
（８）また、本発明の一態様は、１つの第１の信号から生成した２以上の冗長化信号を異なる２以上の送信アンテナから送信する無線送信装置において、前記冗長化信号の送信電力より大きい電力で送信する第２の信号を生成する信号生成部と、前記第２の信号を前記第１の送信アンテナ向けに割り当て、該第２の信号と同じ時間領域に割り当てる前記冗長化信号の少なくとも一部を前記第１の送信アンテナ向けに割り当てず、該時間領域と同じ時間領域であって前記第１の送信アンテナ以外の送信アンテナ向けの領域に割り当てるマッピング部と、前記少なくとも一部の冗長化信号を生成する際は、１つの第１の信号から１又は２以上の冗長化信号を生成する冗長化部とを備え、  前記少なくとも一部の冗長化信号の数は、同じ時間領域にある前記第２の信号を送信する電力の合計に対応して決まることを特徴とする無線送信装置である。
【００２１】
（９）また、本発明の一態様は、無線送信装置が１つの第１の信号から生成した２以上の冗長化信号を異なる２以上の送信アンテナから送信した信号を受信する無線受信装置において、予め設定された前期冗長化信号の少なくとも一部を割り当てる時間及び周波数領域の情報に基づき、同一の前記第１の信号から生成された前記冗長化信号が割り当てられる時間及び周波数領域の信号を組にして出力するデマッピング部と、  前記デマッピング部が出力した信号の組を復号化し、前記第1の信号を生成する復号化部とを備える無線受信装置である。
【００２２】
（１０）また、本発明の一態様は、上記無線受信装置において、前記デマッピング部は、前記時間及び周波数領域に割り当てられる信号の有無により、前記信号の組を特定し、該特定した信号の組を出力することを特徴とする。
【００２３】
（１１）また、本発明の一態様は、１つの第１の信号から生成した２以上の冗長化信号を異なる２以上の送信アンテナから送信する無線送信装置と該無線装置から送信された信号を受信する無線受信装置とからなる無線通信システムにおいて、前記冗長化信号の送信電力より大きい電力で送信する第２の信号を生成する第１の過程と、前記第２の信号を前記第１の送信アンテナ向けに割り当て、該第２の信号と同じ時間領域に割り当てる前記冗長化信号の少なくとも一部を前記第１の送信アンテナ向けに割り当てず、該時間領域と同じ時間領域であって前記第１の送信アンテナ以外の送信アンテナ向けの領域に割り当てる第２の過程と、前記少なくとも一部の冗長化信号を生成する際は、１つの第１の信号から１又は２以上の冗長化信号を生成する第３の過程と予め設定された前記少なくとも一部の冗長化信号を割り当てる時間及び周波数領域の情報に基づき、同一の前記第１の信号から生成された前記冗長化信号が割り当てられる時間及び周波数領域の信号を組にして出力する第４の過程と、第４の過程が出力した信号の組を復号化し、前記第1の信号を生成する第５の過程とを有し、前記少なくとも一部の冗長化信号の数は、同じ時間領域にある前記第２の信号を送信する電力の合計に対応して決まることを特徴とする無線通信方法である。
【００２４】
（１２）また、本発明の一態様は、１つの第１の信号から生成した２以上の冗長化信号を異なる２以上の送信アンテナから送信する無線送信装置のコンピュータに、前記冗長化信号の送信電力より大きい電力で送信する第２の信号を生成する手段と、前記第２の信号を前記第１の送信アンテナ向けに割り当て、該第２の信号と同じ時間領域に割り当てる前記冗長化信号の少なくとも一部を前記第１の送信アンテナ向けに割り当てず、該時間領域と同じ時間領域であって前記第１の送信アンテナ以外の送信アンテナ向けの領域に割り当てる手段と、前記少なくとも一部の冗長化信号を生成する際は、１つの第１の信号から１又は２以上の冗長化信号を生成する手段とを実行させ、前記少なくとも一部の冗長化信号の数は、同じ時間領域にある前記第２の信号を送信する電力の合計に対応して決まることを特徴とする無線送信プログラムである。
【００２５】
（１３）また、本発明の一態様は、無線送信装置が１つの第１の信号から生成した２以上の冗長化信号を異なる２以上の送信アンテナから送信した信号を受信する無線受信装置のコンピュータに、予め設定された前期冗長化信号の少なくとも一部を割り当てる時間及び周波数領域の情報に基づき、同一の前記第１の信号から生成された前記冗長化信号が割り当てられる時間及び周波数領域の信号を組にして出力する手段と、前記出力された信号の組を復号化し、前記第1の信号を生成する手段とを実行させる無線受信プログラムである。
【発明の効果】
【００２６】
本発明によれば、冗長化信号の一部を有効に送信アンテナに割り当て、アンテナ間の消費電力のバランスを保つことで、無線送信装置の電力を有効に利用し、データ信号の量を減らさずにデータ信号を送信することができる。
【発明を実施するための最良の形態】
【００２７】
（第１の実施形態）
以下、図面を参照しながら本発明の実施形態について詳しく説明する。本実施形態は、無線送信装置である基地局装置と無線受信装置である複数の移動局装置とから構成される移動通信システムである。なお、ここでは基地局装置から移動局装置への信号の伝送に係る発明について説明するが、基地局装置の主として送信機能に着目して、これを送信装置と称し、また移動局装置の主として受信機能に着目して受信装置を称する。したがって、本発明は基地局装置と移動局装置から構成される移動通信システムに限定されない。
まず、本実施形態である基地局装置について説明をする。図１は、本実施形態に係る基地局装置の概略構成を示すブロック図である。
基地局装置は、無線リソース制御部１０１、制御部１０２、送信処理部１０３、及び受信処理部１０４を備える。なお、本実施形態では、基地局装置は、４本の送信アンテナを備える。
【００２８】
無線リソース制御部１０１は、移動局装置との間欠送受信サイクル、変調方式・符号化率、送信電力、無線リソース割り当て、下りリンク制御チャネルを構成するＯＦＤＭシンボル数、多重などの情報を管理する。そして、無線リソース制御部１０１は該管理する情報に基づき通信を制御する制御情報を、制御部１０２に出力すると共に、制御部１０２、送信処理部１０３を通して移動局装置に制御データとして通知する。
【００２９】
制御部１０２は、無線リソース制御部１０１から入力された制御情報に基づいて、送信処理部１０３と受信処理部１０４に、送信処理部１０３と受信処理部１０４の制御を行うための制御信号を出力する。制御部１０２は、該制御信号により、送受信信号の変復調方式、符号化率の設定、下りリンク制御チャネルが構成するＯＦＤＭシンボル数の設定、後述する所定の周波数領域と時間領域からなるリソースエレメント（物理リソース）への配置設定などの制御を、送信処理部１０３および受信処理部１０４に対して行う。
制御部１０２は、下りリンク制御チャネルに配置する制御データであるＬ１（Ｌａｙｅｒ１：レイヤー１）／Ｌ２（Ｌａｙｅｒ２：レイヤー２）制御データを生成し、送信処理部１０３に送信を指示する。また、制御部１０２は、下りリンク制御チャネルではなく下りリンク共有データチャネルに配置する制御データをも生成し、送信処理部１０３に情報データと共にこの制御データをデータとして送信を行うように指示する。
【００３０】
送信処理部１０３は、制御部１０２からの入力に基づき、外部から入力された情報データと制御部１０２から受けた制御データを、その種類に応じて下りリンク制御チャネル、下りリンク共有データチャネル、下りリンクパイロットシグナル、制御フォーマットインディケータチャネルに配置し、４本の送信アンテナ（図示せず）を介して、各移動局装置に送信する。なお、詳細は後述する。
【００３１】
受信処理部１０４は、制御部１０２からの入力に基づき、各移動局装置が送信した上りリンク制御チャネル、上りリンク共有データチャネル、上りリンクパイロットシグナル、ランダムアクセスチャネルの受信処理を行い、検出した制御データを制御部１０２に出力するとともに、検出した情報データを外部に出力する。なお、上りリンクに関する詳細な説明はここでは省略する。
【００３２】
以下、送信処理部１０３および送信処理部１０３に関連する制御部１０２の詳細について説明する。図２は、本実施形態における基地局装置の送信処理部１０３および送信処理部１０３に関連する制御部１０２の内部構成を示す概略ブロック図である。
基地局装置の送信処理部１０３は、データ制御部２０１、変調符号化部２０２、直並列変換部２０３、ＳＦＢＣ符号化部２０４、マッピング部２０５、４つの逆フーリエ変換部２０６１〜２０６４、４つのＣｙｃｌｉｃ  Ｐｒｅｆｉｘ（サイクリックプレフィックス）付加部２０７１〜２０７４、４つの無線送信部２０８１〜２０８４、スケジューラ部２０９、参照信号生成部２１０、４つの送信アンテナＴｘ１〜Ｔｘ４を備えている。また、制御部１０２は、変調符号制御部２１２、リソースエレメント配置設定部２１３、周波数選択スケジューラ部２１４を有する。
【００３３】
基地局装置において、スケジューラ部２０９は、無線リソース制御部１０１から入力された制御情報に基づき各移動局装置が使用することのできるリソース領域、間欠送受信サイクル、送信データチャネルのフォーマット、バッファ状況などの制御情報に基づき、下りリンクのスケジューリング、上りリンクのスケジューリングを行なう。そして、スケジューラ部２０９は、データ制御部２０１に該スケジューリングを指示する。
参照信号生成部２１０は、下りリンクパイロットチャネルで送信するパイロットシグナルを生成しマッピング部２０５に出力する。
【００３４】
変調符号制御部２１２は、移動局装置から送信される受信品質情報に基づいて、各データに施す変調方式、符号化率を決定し、該決定した変調方式および符号化率の情報を変調符号化部２０２に出力する。
リソースエレメント配置設定部２１３は、パイロットシグナル、制御信号、データ信号が割り当てられるリソースエレメント、及び、パイロットシグナルを送信する送信アンテナでデータ信号を間引くリソースエレメント（以下、パンクチャリソースエレメントという）の割り当て情報であるリソースエレメント割り当て情報を記憶し、ＳＦＢＣ符号化部２０４とマッピング部２０５とに出力する。
周波数選択スケジューラ部２１４は、移動局装置から送信される受信品質情報に基づいて、各データに施す周波数選択スケジューリングの処理を行ない、該処理の結果である前記周波数選択スケジューリング情報をマッピング部２０５に出力する。
【００３５】
データ制御部２０１は、各移動局装置に送信する情報データと制御データとが入力される。データ制御部２０１は、スケジューラ部２０９からの指示に従って、それぞれのデータを変調符号化部２０２へ逐次出力する。
変調符号化部２０２は、変調符号制御部２１２から入力された変調方式および符号化率の情報に基づいて、データ制御部２０１から入力された情報データと制御データに対して、誤り訂正符号化処理および変調処理を行い、データ信号と制御信号とからなる送信信号として直並列変換部２０３へ出力する。
直並列変換部２０３は、変調符号化部２０２から入力された送信信号を、直並列変換し、ＳＦＢＣ符号化部２０４へ出力する。
【００３６】
ＳＦＢＣ符号化部２０４とマッピング部２０５は、送信信号をリソースエレメントに割り当てる。また、ＳＦＢＣ符号化部２０４とマッピング部２０５は、該マッピングにより、基地局装置に送信ダイバーシチを適用する。なお、ＳＦＢＣ符号化部２０４とマッピング部２０５が行う割り当て方法の詳細は後述する。
【００３７】
ＳＦＢＣ符号化部２０４は、変調符号化部２０２から入力された送信信号に対し、共役転置と符号反転をする空間周波数ブロック符号ＳＦＢＣ処理を行い、送信信号を冗長化する。
ただし、ＳＦＢＣ符号化部２０４は、制御部１０２から入力されたリソースエレメント割り当て情報より、パンクチャリソースエレメントに割り当てられる送信信号を特定し、該信号については、空間周波数ブロック符号ＳＦＢＣ処理を行わない。そして、ＳＦＢＣ符号化部２０４は、前記処理を行った信号をマッピング部２０５に出力する。
【００３８】
マッピング部２０５は、制御部１０２から入力されたリソースエレメント割り当て情報と周波数選択スケジューリング情報に基づいて、参照信号生成部２１０から入力されたパイロットシグナルをリソースエレメントに配置する。さらに、マッピング部２０５は、制御部１０２から入力されたリソースエレメント割り当て情報と周波数選択スケジューリング情報に基づいて、ＳＦＢＣ符号化部２０４から入力された送信信号に対し、前記パイロットシグナルが配置されるリソースエレメントとを避けながら、周波数切換送信ダイバーシチＦＳＴＤとなるように、リソースエレメントに配置し（以下、周波数切換送信ダイバーシチＦＳＴＤ処理という）、逆フーリエ変換部２０６１〜２０６４へ出力する。
【００３９】
逆フーリエ変換部２０６１〜２０６４は、マッピング部２０５から入力された信号に対し、逆フーリエ変換処理を施すことで時系列のベースバンドデジタル信号に変換し、それぞれ、Ｃｙｃｌｉｃ  Ｐｒｅｆｉｘ部２０７１〜２０７４へ出力する。
Ｃｙｃｌｉｃ  Ｐｒｅｆｉｘ部２０７１〜２０７４は、逆フーリエ変換部２０６１〜２０６４から入力されたベースバンドデジタル信号に対し、フレーム終端部にある複数のデータシンボルをブロックの先端部にコピーするＣｙｃｌｉｃ  Ｐｒｅｆｉｘ付加処理を施し、それぞれ無線送信部２０８１〜２０８４に出力する。
無線送信部２０８１〜２０８４は、Ｃｙｃｌｉｃ  Ｐｒｅｆｉｘ部２０７１〜２０７４から入力されたベースバンドデジタル信号に対し、デジタル／アナログ変換を施し、送信に適した周波数にアップコンバートした後、それぞれ送信アンテナＴｘ１〜Ｔｘ４を介して各移動局装置に送信する。
【００４０】
以下、基地局装置のＳＦＢＣ符号化部２０４とマッピング部２０５が行う前記配置方法について詳細を説明する。
【００４１】
まず、無線フレーム構成について説明する。図３は、本実施形態である無線フレーム構成の概略を示す図であり、基地局装置から移動局装置への下りリンクフレームの構成を示す図である。図３の横軸は時間、縦軸は周波数を表している。
基地局装置から移動局装置への下りリンクフレームは、時間領域をＯＦＤＭシンボル長で、周波数領域をサブキャリア帯域幅で、格子状に分割されている。該格子状に分割された下りリンクフレームの升目（小さな四角形）がリソースエレメントである。
また、ＰＲＢ（Ｐｈｙｓｉｃａｌ  Ｒｅｓｏｕｒｃｅ  Ｂｌｏｃｋ：物理リソースブロック）は、周波数領域において１２個のリソースエレメントから構成され、時間領域において７個のリソースエレメントから構成される。リソースエレメントは無線リソースへの信号割り当ての単位であり、時間領域で隣接すＰＲＢのペアはスケジューリングの単位である。システム帯域幅は、基地局装置の通信帯域幅であり、システム帯域幅に応じて複数のＰＲＢが配置される。
時間領域においては、７個のＯＦＤＭシンボルから構成されるスロット、１４個のＯＦＤＭシンボルから構成されるサブフレーム、１０個のサブフレームから構成される無線フレームがある。
【００４２】
本実施形態では、時間軸で早い方から１個目と２個目と３個目のＯＦＤＭシンボルに下りリンク制御チャネル、残りのＯＦＤＭシンボルに下りリンク共有データチャネルが配置されている場合を説明する。しかし、該配置はサブフレーム単位で変化し、例えば、下りリンク制御チャネルが配置されるＯＦＤＭシンボルは1個目のみ、１個目と２個目、１個目から３個目のＯＦＤＭシンボルと変化してもよい。
なお、下りリンク制御チャネルが何番目のＯＦＤＭシンボルに配置されるかを示す制御フォーマットインディケータチャネルはサブフレームの1個目のＯＦＤＭシンボルに配置する。また、同一のＯＦＤＭシンボルにおいて下りリンク制御チャネルと下りリンク共有データチャネルは一緒に配置しない。その他のチャネルとして、下りリンク同期チャネル、報知チャネル、マルチキャストチャネル、ＨＡＲＱインディケータチャネルがある。
【００４３】
次に、本実施形態のパイロットシグナルについて説明する。図４は、本実施形態である下りリンクパイロットチャネルの配置を説明する図である。図４（ａ）〜図４（ｄ）は、それぞれ４本の送信アンテナＴｘ１〜Ｔｘ４に関するパイロットチャネルの説明図であり、横軸は時間、縦軸は周波数を表している。なお、図４は、時間領域に対し隣接する２つの物理リソースブロックＰＲＢを示したものであり、升目はリソースエレメントである。
下りリンクパイロットシグナルは、基地局装置の４本のアンテナＴｘ１〜Ｔｘ４から送信される下りリンクパイロットシグナルから構成されている。図４において、Ｒ１は、送信アンテナＴｘ１が送信する下りリンクパイロットシグナルを配置するリソースエレメントを表し、Ｒ２は、送信アンテナＴｘ２が送信する下りリンクパイロットシグナルを配置するリソースエレメントを表し、Ｒ３は、送信アンテナＴｘ３が送信する下りリンクパイロットシグナルを配置するリソースエレメントを表し、Ｒ４は、送信アンテナＴｘ４が送信する下りリンクパイロットシグナルを配置するリソースエレメントを表している。
【００４４】
図４の送信アンテナＴｘ１は、サブフレーム内の時間軸で早い方から１個目のＯＦＤＭシンボルと８個目のＯＦＤＭシンボルでは、周波数軸で周波数が小さい方から１番目のサブキャリアと７番目のサブキャリアのリソースエレメントにパイロットシグナルを配置し、時間軸で早い方から５個目のＯＦＤＭシンボルと１２個目のＯＦＤＭシンボルでは、周波数軸で周波数が小さい方から４番目のサブキャリアと１０番目のサブキャリアのリソースエレメントにパイロットシグナルを配置する。
【００４５】
送信アンテナＴｘ２は、サブフレーム内の時間軸で早い方から１個目のＯＦＤＭシンボルと８個目のＯＦＤＭシンボルでは、周波数軸で周波数が小さい方から４番目のサブキャリアと１０番目のサブキャリアのリソースエレメントにパイロットシグナルを配置し、時間軸で早い方から５個目のＯＦＤＭシンボルと１２個目のＯＦＤＭシンボルでは、周波数軸で周波数が小さい方から１番目のサブキャリアと７番目のサブキャリアのリソースエレメントにパイロットシグナルを配置する。
【００４６】
送信アンテナＴｘ３は、サブフレーム内の時間軸で早い方から２個目のＯＦＤＭシンボルでは、周波数軸で周波数が小さい方から１番目のサブキャリアと７番目のサブキャリアのリソースエレメントにパイロットシグナルを配置し、時間軸で早い方から９個目のＯＦＤＭシンボルでは、周波数軸で周波数が小さい方から４番目のサブキャリアと１０番目のサブキャリアのリソースエレメントにパイロットシグナルを配置する。
【００４７】
送信アンテナＴｘ４は、サブフレーム内の時間軸で早い方から２個目のＯＦＤＭシンボルでは、周波数軸で周波数が小さい方から４番目のサブキャリアと１０番目のサブキャリアのリソースエレメントにパイロットシグナルを配置し、時間軸で早い方から９個目のＯＦＤＭシンボルでは、周波数軸で周波数が小さい方から１番目のサブキャリアと７番目のサブキャリアのリソースエレメントにパイロットシグナルを配置する。
なお、黒塗りのリソースエレメントは、他の送信アンテナにおいて、パイロットシグナルを配置したリソースエレメントである。
【００４８】
以下、本実施形態である下りリンク共有データチャネルにおいて送信アンテナＴｘ１と送信アンテナＴｘ２のデータ信号を間引き、パイロットシグナルの電力を上げる方法について説明をする。
まず、本実施形態である送信信号を間引く方法について説明をする。図５は、仮に、パイロットシグナルの電力を上げずデータ信号を間引かないとした場合に、空間周波数ブロック符号ＳＦＢＣと周波数切換送信ダイバーシチＦＳＴＤを適用したリソースエレメントと送信アンテナの関係を説明する図である。図５の縦軸は周波数、横軸は時間であり、それぞれの領域は、周波数領域がＯＦＤＭサブキャリア、時間領域がＯＦＤＭシンボルを表す。
また、図５は、時間領域に１サブフレーム、周波数方向に１リソースブロック分のリソースエレメントを示したものであり、各送信アンテナで信号を配置するリソースエレメントを合成した図である。なお、符号Ｒａ（ａは１桁の数字）は、送信アンテナＴｘａから送信されるパイロットシグナルであり、該パイロットシグナルは、送信アンテナＴｘａに配置され、残りの送信アンテナには配置されないことを表す。
【００４９】
時間軸で早い方から１個目と２個目と３個目のＯＦＤＭシンボルは、下りリンク制御チャネルである制御信号を配置するリソースエレメント（Ｃ１３−ｉ、Ｃ２４−ｉ）であり、残り４個目以降のＯＦＤＭシンボルは、下りリンク共有データチャネルであるデータ信号を配置するリソースエレメント（Ｄ１３−ｊ、Ｄ２４−ｊ）である。
ここで、Ｃ１３−ｉとＤ１３−ｊの１３は、送信アンテナＴｘ１と送信アンテナＴｘ３とをペアとして送信信号を送信することを示し、Ｃ２４−ｉとＤ２４−ｊの２４は、送信アンテナＴｘ２と送信アンテナＴｘ４とをペアとして送信信号を送信することを示している。なお、ｉとｊは正の整数であり、入力された信号を４つずつで１つのグループとし、該グループを配置する順序を表わす。
【００５０】
具体的には、図５において、例えば、２個のリソースエレメントＤ１３−１は、送信アンテナＴｘ１と送信アンテナＴｘ３とから送信する２つのデータ信号を配置するリソースエレメントであり、２個のリソースエレメントＤ２４−１は送信アンテナＴｘ２と送信アンテナＴｘ４とから送信する２つのデータ信号を配置するリソースエレメントである。
また、２個のリソースエレメントＤ１３−１と２個のリソースエレメントＤ２４−１を合わせた、４個のリソースエレメントに配置されるデータ信号により空間周波数ブロック符号ＳＦＢＣ処理と周波数切換送信ダイバーシチＦＳＴＤ処理をした信号の１つのグループが構成される。図５では、全部で３６の空間周波数ブロック符号ＳＦＢＣと周波数切換送信ダイバーシチＦＳＴＤの処理をした信号のグループが配置してある。
【００５１】
本実施形態では、マッピング部２０５は、以下の方法で送信信号を間引く。
マッピング部２０５は、データ信号を間引かない場合にデータ信号を配置するリソースエレメントである図５中のＤ１３−ｊとＤ２４−ｊのうち、周波数軸で周波数が小さい方から順にパンクチャリソースエレメントとする。そして、マッピング部２０５は、パンクチャリソースエレメントに配置された信号を、送信信号を間引く送信アンテナには配置しないことにより、送信信号を間引く。
【００５２】
具体的に、以下、例えば、時間軸で早い方から５番目に早い時間領域であるＯＦＤＭシンボルについて説明をする。
マッピング部２０５は、送信アンテナＴｘ１で送信信号を２つ間引く場合、周波数軸で周波数が小さい方から２番目と３番目に低い周波数領域のリソースエレメント（Ｄ１３−４）に割り当てた信号については、送信アンテナＴｘ１に信号を配置しない。マッピング部２０５は、送信アンテナＴｘ２でデータ信号２つを間引く場合、周波数軸で周波数が小さい方から５番目と６番目に低い周波数領域のリソースエレメント（Ｄ２４−４）割り当てた信号については、送信アンテナＴｘ２に信号を配置しない。
【００５３】
また、マッピング部２０５は、送信アンテナＴｘ１でデータ信号４つを間引く場合、送信アンテナＴｘ１では、周波数軸で周波数が小さい方から２番目と３番目と８番目と９番目に低い周波数領域のリソースエレメント（Ｄ１３−４、Ｄ１３−５）に割り当てた信号については、送信アンテナＴｘ１に信号を配置しない。マッピング部２０５は、送信アンテナＴｘ２でデータ信号を４つ間引く場合、周波数軸で周波数が小さい方から送信アンテナＴｘ２では、５番目と６番目と11番目と１２番目に低い周波数領域のリソースエレメント（Ｄ２４−４、Ｄ２４−５）割り当てた信号については、送信アンテナＴｘ２に信号を配置しない。
【００５４】
次に、本実施形態であるリソースエレメントと送信アンテナの関係について詳細を説明する。
図６は、本実施形態である４本の送信アンテナを用いた空間周波数ブロック符号ＳＦＢＣと周波数切換送信ダイバーシチＦＳＴＤを適用したリソースエレメントと送信アンテナの関係を説明する図である。図６の横軸は時間、縦軸は周波数を表している。
【００５５】
図６（ａ）と（ｂ）において、符号Ｃｂｃ−ｉとＤｂｃ（ｂ、ｃは１桁の数字、ｉは正の整数）は、それぞれ、下りリンク制御チャネルと下りリンク共有データチャネルのリソースエレメントである。該リソースエレメントに配置された送信信号は、送信アンテナＴｘｂと送信アンテナＴｘｃとをペアとして、両方の送信アンテナに配置され、残りの送信アンテナにおいては送信信号を配置されないことを表す。なお、下りリンク制御チャネルのリソースエレメントＣｂｃ−ｉは、図５と同じであるので、説明は省略する。
なお、符号Ｒａ（ａは１桁の数字）は、送信アンテナＴｘａから送信されるパイロットシグナルであり、送信アンテナＴｘａに配置され、残りの送信アンテナには配置されないことを表す。
【００５６】
符合Ｄｄ（ｄは１桁の数字）は、下りリンク共有データチャネルのリソースエレメントであり、上述の仮にパイロットシグナルの電力を上げずデータ信号を間引かないとした場合に、送信アンテナＴｘｄとペアとなって送信信号を送信する送信アンテナのデータ信号を間引くパンクチャリソースエレメントである。
本実施形態では、マッピング部２０５は、該リソースエレメントＤｄに配置したデータ信号を、送信アンテナＴｘｄのリソースエレメントのみに配置し、残りの送信アンテナのリソースエレメントには配置しない。
【００５７】
下りリンク共有データチャネルのパイロットシグナルが配置されていないＯＦＤＭシンボルでは、リソースエレメントは周波数軸で周波数が小さい方から大きい方へ交互にＤ１３とＤ２４となる。一方、パイロットシグナルが配置されているＯＦＤＭシンボルでは、リソースエレメントは周波数軸で周波数が小さい方から大きい方へ交互にＤ１３とＤ２４となるが、パンクチャリソースエレメントは、Ｄ１とＤ２、又は、Ｄ３とＤ４となる。
【００５８】
具体的には、図６（ａ）と（ｂ）では、時間軸で早い方から１個目と８個目のＯＦＤＭシンボルにおいて、周波数軸で周波数が小さい方から１番目と７番目のサブキャリアのリソースエレメントは、送信アンテナＴｘ１のパイロットシグナルＲ１、４番目と１０番目のサブキャリアに送信アンテナＴｘ２のパイロットシグナルＲ２が配置されている。
また、時間軸で早い方から２個目のＯＦＤＭシンボルにおいて、周波数軸で周波数が小さい方から１番目と７番目のサブキャリアのリソースエレメントは、送信アンテナＴｘ３のパイロットシグナルＲ３、４番目と１０番目のサブキャリアに送信アンテナＴｘ４のパイロットシグナルＲ４が配置されている。
また、時間軸で早い方から５個目と１２番目のＯＦＤＭシンボルにおいて、周波数軸で周波数が小さい方から１番目と７番目のサブキャリアのリソースエレメントは、送信アンテナＴｘ２のパイロットシグナルＲ２、４番目と１０番目のサブキャリアに送信アンテナＴｘ１のパイロットシグナルＲ１が配置されている。
また、時間軸で早い方から９個目のＯＦＤＭシンボルにおいて、周波数軸で周波数が小さい方から１番目と７番目のサブキャリアのリソースエレメントは、送信アンテナＴｘ４のパイロットシグナルＲ４、４番目と１０番目のサブキャリアに送信アンテナＴｘ３のパイロットシグナルＲ３が配置されている。
【００５９】
図６（ａ）において、Ｒ１とＲ２が配置される時間軸で早い方から５個目と８個目と１２個目のＯＦＤＭシンボルでは、周波数軸で周波数が小さい方から２番目と３番目のサブキャリアのリソースエレメントはＤ３であり、周波数軸で周波数が小さい方から５番目と６番目のサブキャリアのリソースエレメントはＤ４である。
また、Ｒ３とＲ４が配置される時間軸で早い方から９個目のＯＦＤＭシンボルでは、周波数軸で周波数が小さい方から２番目と３番目のサブキャリアのリソースエレメントはＤ１であり、周波数軸で周波数が小さい方から５番目と６番目のサブキャリアのリソースエレメントはＤ２である。
【００６０】
図６（ｂ）において、Ｒ１とＲ２が配置される時間軸で早い方から５個目と８個目と１２個目のＯＦＤＭシンボルでは、周波数軸で周波数が小さい方から２番目と３番目と８番目と９番目のサブキャリアのリソースエレメントはＤ３であり、周波数軸で周波数が小さい方から５番目と６番目と１１番目と１２番目のサブキャリアのリソースエレメントはＤ４である。
また、Ｒ３とＲ４が配置される時間軸で早い方から９個目のＯＦＤＭシンボルでは、周波数軸で周波数が小さい方から２番目と３番目と８番目と９番目のサブキャリアのリソースエレメントはＤ１であり、周波数軸で周波数が小さい方から５番目と６番目と１１番目と１２番目のサブキャリアのリソースエレメントはＤ２である。
【００６１】
以下、具体的な送信信号と該送信信号のリソースエレメントへの配置について説明する。まず、ＳＦＢＣ符号化処理について説明をする。
【００６２】
ＳＦＢＣ符号化部２０４は、直並列変換部２０３から入力された送信信号に対し、前記ＳＦＢＣ符号化を行い、送信信号を冗長化する。ただし、ＳＦＢＣ符号化部２０４は、制御部１０２から入力されたリソースエレメント割り当て情報よりパンクチャリソースエレメントに配置される送信信号を特定し、該送信信号については、共役転置と符号反転を行わない送信信号を、マッピング部２０５に出力する。
【００６３】
図７は、図６中の下りリンク制御チャネルと下りリンク共有データチャネルのリソースエレメントＤｂｃに配置をするデータ信号を説明する説明図である。図７の構成要素が持つ機能は、図２の構成要素が持つ機能と同じである。
【００６４】
直並列変換部２０３は、符号化および変調された送信信号を直並列変換する。図７において、直並列変換部２０３は、データ信号Ｓ１（ｅ）、Ｓ２（ｅ＋１）、Ｓ３（ｅ＋２）、Ｓ４（ｅ＋３）を並列にＳＦＢＣ符号化部２０４に出力する。ここで、ｅは正の整数であり、括弧内の番号は、直並列変換された送信信号の順番を示す。
【００６５】
ＳＦＢＣ符号化部２０４は、直並列変換部２０３から入力されたデータ信号に対し、ＳＦＢＣ符号化を行い、データ信号を冗長化する。
まず、ＳＦＢＣ符号化部２０４は、直並列変換部２０３から入力されたデータ信号を４つのデータ信号の組（Ｓ１（ｅ）、Ｓ２（ｅ＋１）、Ｓ３（ｅ＋２）、Ｓ４（ｅ＋３））とし、該データ信号の組に対し、共役転置を施して(Ｓ１＊（ｅ）、Ｓ２＊（ｅ＋１）、Ｓ３＊（ｅ＋２）、Ｓ４＊)とする。そして、ＦＢＣ符号化部２０４は、該データ信号に符号反転を施し、(Ｓ１（ｅ）、−Ｓ２＊（ｅ＋１）、Ｓ３（ｅ＋２）、−Ｓ４＊（ｅ＋３）)と(Ｓ２（ｅ＋１）、Ｓ１＊（ｅ）、Ｓ４（ｅ＋３）、Ｓ３＊（ｅ＋２）)との２つの組をマッピング部２０５に出力する。ここで＊は、共役複素数を示す。
【００６６】
マッピング部２０５は、ＳＦＢＣ符号化部２０４から入力されたデータ信号を、後述するように、下りリンク制御チャネルと下りリンク共有データチャネルのリソースエレメントＤｂｃに配置をする。
マッピング部２０５に配置された送信信号は、それぞれ、逆フーリエ変換部２０６１〜２０６４とＣｙｃｌｉｃＰｒｅｆｉｘ付加部２０７１〜２０７４を通じ出力される。
このとき、４つのデータ信号の組（Ｓ１（ｅ）、−Ｓ２＊（ｅ＋１）、０、０)と(Ｓ２（ｅ＋１）、Ｓ１＊（ｅ）、０、０)とは、それぞれ、送信アンテナＴｘ１と送信アンテナＴｘ３から送信され、４つのデータ信号の組(０、０、Ｓ３（ｅ＋２）、−Ｓ４＊（ｅ＋３）)と(０、０、Ｓ４（ｅ＋３）、Ｓ３＊（ｅ＋２）)とは、それぞれ、送信アンテナＴｘ２と送信アンテナＴｘ４から送信される。
【００６７】
図８は、図６中の下りリンク制御チャネルと下りリンク共有データチャネルの信号Ｄｃに配置をするデータ信号を説明する説明図である。図８の構成要素が持つ機能は、図２の構成要素が持つ機能と同じである。
【００６８】
直並列変換部２０３は、符号化および変調された送信信号を直並列変換する。図８において、直並列変換部２０３は、データ信号Ｓ５（ｆ）、Ｓ６（ｆ＋１）を並列にＳＦＢＣ符号化部２０４に出力する。ここで、ｆは正の整数であり、括弧内の番号は、直並列変換された送信信号の順番を示す。
【００６９】
まず、ＳＦＢＣ符号化部２０４は、制御部１０２から入力されたリソースエレメント割り当て情報より送信アンテナＴｘ１でデータ信号を間引くリソースエレメントに配置されるデータ信号Ｓ５、Ｓ６を特定する。
ＳＦＢＣ符号化部２０４は、該特定したデータ信号Ｓ５（ｆ）、Ｓ６（ｆ＋１）に対し、共役転置も符号反転も施さず、マッピング部２０５に出力する。
【００７０】
マッピング部２０５は、ＳＦＢＣ符号化部２０４から入力されたデータ信号を、後述するように、下りリンク制御チャネルと下りリンク共有データチャネルの信号Ｄｃに配置をする。
マッピング部２０５に配置をされた送信信号は、それぞれ、逆フーリエ変換部２０６１〜２０６４とＣｙｃｌｉｃＰｒｅｆｉｘ付加部２０７１〜２０７４を通じ出力される。
このとき、４つのデータ信号の組（０、０、０、０)と(０、０、０、０)とは、それぞれ、送信アンテナＴｘ１と送信アンテナＴｘ２から送信される。つまり、送信アンテナＴｘ１と送信アンテナＴｘ２は、データ信号が間引かれている。
さらに、４つのデータ信号の組(Ｓ５（ｆ）、Ｓ６（ｆ＋１）、０、０)と(０、０、Ｓ５（ｆ）、Ｓ６（ｆ＋１）)とは、それぞれ、送信アンテナＴｘ３と送信アンテナＴｘ４から送信される。
【００７１】
次に、マッピング部２０５が行う前記リソースエレメントへの配置について説明する。
図９は、送信アンテナＴｘ１と送信アンテナＴｘ２でそれぞれ送信信号を２つ間引く場合に、マッピング部２０５が行う信号の配置を示す図である。図９（ａ）〜（ｄ）は、それぞれ、送信アンテナＴｘ１〜Ｔｘ４に対応する。
【００７２】
図９では、図６中の下りリンク共有データチャネルである時間領域の４個目から６個目までのＯＦＤＭシンボルを示している。
ここで、Ｓｌ（ｍ）（ｌとｍは正の整数）は、リソースエレメントに配置された前記データ信号である。符号Ｒａ（ａは１桁の数字）は、送信アンテナＴｘａから送信されるパイロットシグナルである。また、黒塗りのリソースエレメントは、他のアンテナにおいてパイロットシグナルを配置するリソースエレメントである。
【００７３】
マッピング部２０５は、まず、下りリンク共有データチャネルの時間軸で早い方から１個目のＯＦＤＭシンボルにおいて、周波数軸で周波数が小さい方のリソースエレメントから大きい方の周波数のリソースエレメントに向かって順々にデータ信号を配置する。そして、時間軸で早い方から１個目のＯＦＤＭシンボルにおいて、全ての周波数領域のリソースエレメントにデータ信号を配置したら、時間軸で早い方から２個目のＯＦＤＭシンボルにおいて、周波数軸で周波数が小さい方のリソースエレメントから大きい方の周波数のリソースエレメントに向かって順々にデータ信号を配置する。
マッピング部２０５は、同様にして、時間軸で早い方のＯＦＤＭシンボルから遅い方のＯＦＤＭシンボルへ、周波数軸で周波数が小さい方のリソースエレメントから大きい方のリソースエレメントへデータ信号を配置する。このとき、マッピング部２０５は、パイロットシグナルが配置されるリソースエレメントを飛ばしてデータ信号を配置する。
【００７４】
また、マッピング部２０５は、パイロットシグナルが配置されない送信アンテナＴｘ３と送信アンテナＴｘ４に対応するＯＦＤＭシンボルには、空間周波数ブロック符号ＳＦＢＣの処理をしていない前記２つのデータ信号Ｓ５（ｆ）、Ｓ６（ｆ＋１）を、送信ダイバーシチとなるように、アンテナＴｘ３とＴｘ４に配置する。
つまり、本実施形態にあっては、マッピング部２０５は、送信アンテナＴｘ３と送信アンテナＴｘ４とが同一の情報を複数アンテナから送信する送信ダイバーシチを適用した送信を行うように信号を配置している。
【００７５】
以下、具体的なリソースエレメントへのデータ信号の配置について説明をする。
下りリンク共有データチャネルの時間軸で早い方から１個目の時間領域、つまり、図６（ａ）中の時間軸で早い方から４個目の時間領域であるＯＦＤＭシンボルでは、周波数軸で周波数が小さい方から１番目のサブキャリアのリソースエレメントは、図６（ａ）において、Ｄ１２である。そして、該ＯＦＤＭシンボルにおいて、周波数軸で周波数が高い方へ、周波数が小さい方から２番目のサブキャリアのリソースエレメントはＤ１２、周波数が小さい方から３番目のサブキャリアのリソースエレメントはＤ２４、周波数が小さい方から４番目のサブキャリアのリソースエレメントはＤ２４である。
このとき、マッピング部２０５は、ＳＦＢＣ符号化部２０４から、上述のように(Ｓ１（１）、−Ｓ２＊（２）、Ｓ３（３）、−Ｓ４＊（４）)と(Ｓ２（２）、Ｓ１＊（１）、Ｓ４（４）、Ｓ３＊（３）)との２つの組が入力される。
【００７６】
マッピング部２０５は、まず、下りリンク共有データチャネルの時間軸で早い方から１個目の時間領域であるＯＦＤＭシンボルの周波数軸で周波数が小さい方から１番目と２番目のサブキャリアのリソースエレメントがＤ１３であるので、送信アンテナＴｘ１と送信アンテナＴｘ３に対し、ＳＦＢＣ符号化部２０４から入力された空間周波数ブロック符号ＳＦＢＣを適用したＳＦＢＣペアを配置する。
マッピング部２０５は、送信アンテナＴｘ１の時間軸で早い方から１個目の時間領域であるＯＦＤＭシンボルの周波数軸の周波数が小さい方から１番目のサブキャリアのリソースエレメントに対しＳ１（１）を配置し、周波数が小さい方から２番目のサブキャリアのリソースエレメントに対し−Ｓ２＊（２）を配置する。また、マッピング部２０５は、送信アンテナＴｘ３の時間軸で早い方から１個目の時間領域であるＯＦＤＭシンボルの周波数が小さい方から１番目のサブキャリアのリソースエレメントに対しＳ２（２）を配置し、周波数が小さい方から２番目のサブキャリアのリソースエレメントに対しＳ１＊（１）を配置する。
【００７７】
マッピング部２０５は、次に、下りリンク共有データチャネルの時間軸で早い方から１個目の時間領域であるＯＦＤＭシンボルで、周波数軸で周波数が小さい方から４番目と５番目のサブキャリアのリソースエレメントがＤ２４であるので、送信アンテナＴｘ２と送信アンテナＴｘ４に対し、空間周波数ブロック符号ＳＦＢＣを適用したＳＦＢＣペアを配置する。
マッピング部２０５は、送信アンテナＴｘ２の時間軸で早い方から１個目の時間領域であるＯＦＤＭシンボルの周波数軸の周波数が小さい方から３番目のサブキャリアのリソースエレメントに対しＳ３（３）を配置し、周波数が小さい方から４番目のサブキャリアのリソースエレメントに対し−Ｓ４＊（４）を配置する。また、送信アンテナＴｘ４の時間軸で早い方から１個目の時間領域であるＯＦＤＭシンボルの周波数が小さい方から３番目のサブキャリアのリソースエレメントに対しＳ４（４）を配置し、周波数が小さい方から４番目のサブキャリアのリソースエレメントに対しＳ３＊（３）を配置する。
【００７８】
マッピング部２０５が前記４つのリソースエレメントにデータ信号を配置すると、空間周波数ブロック符号ＳＦＢＣと周波数切換送信ダイバーシチＦＳＴＤの処理を行ったデータ信号の１つのグループを配置したことになる。マッピング部２０５は、前記配置を３つのグループに施すと、時間軸で早い方から１個目のＯＦＤＭシンボルにおいて、全ての周波数領域のリソースエレメントにデータ信号を配置するので、次に、時間軸で早い方から２個目に早い時間領域であるＯＦＤＭシンボルにデータ信号を配置する。
【００７９】
下りリンク共有データチャネルの時間軸で早い方から２個目の時間領域であるＯＦＤＭシンボルでは、周波数軸で周波数が小さい方から１番目のサブキャリアのリソースエレメントは、図６（ａ）において、パイロットシグナルＲ２である。そして、該ＯＦＤＭシンボルにおいて、周波数軸で周波数が高い方へ、周波数が小さい方から２番目のサブキャリアのリソースエレメントは、図６（ａ）において、Ｄ３である。さらに、該ＯＦＤＭシンボルにおいて、周波数軸で周波数が高い方へ、周波数が小さい方から３番目のサブキャリアのリソースエレメントはＤ３、周波数が小さい方から４番目のサブキャリアのリソースエレメントはパイロットシグナルＲ１、そして、周波数が小さい方から５番目のサブキャリアのリソースエレメントはＤ４、周波数が小さい方から６番目のサブキャリアのリソースエレメントはＤ４である。
このとき、マッピング部２０５は、ＳＦＢＣ符号化部２０４から、上述のように、(Ｓ５（１３）、Ｓ６（１４）)が入力される。
【００８０】
マッピング部２０５は、まず、時間軸で早い方から２個目の時間領域であるＯＦＤＭシンボルでは、周波数軸で周波数が小さい方から１番目のサブキャリアであるパイロットシグナルＲ２が配置されたリソースエレメントにデータ信号を配置しない。そして、マッピング部２０５は、下りリンク共有データチャネルの時間軸で早い方から２個目の時間領域であるＯＦＤＭシンボルの周波数軸で周波数が小さい方から２番目と３番目のサブキャリアのリソースエレメントがＤ３であるので、送信アンテナＴｘ３に対し、ＳＦＢＣ符号化部２０４から入力されたデータ信号を配置する。
マッピング部２０５は、送信アンテナＴｘ１の時間軸で早い方から２個目の時間領域であるＯＦＤＭシンボルの周波数軸の周波数が小さい方から２番目のサブキャリアのリソースエレメントに対しＳ５（１３）を配置し、周波数が小さい方から３番目のサブキャリアのリソースエレメントに対しＳ６（１４）を配置する。
【００８１】
マッピング部２０５は、次に、時間軸で早い方から２個目の時間領域であるＯＦＤＭシンボルでは、周波数軸で周波数が小さい方から４番目のサブキャリアであるパイロットシグナルＲ１が配置されたリソースエレメントにデータ信号を配置しない。そして、マッピング部２０５は、下りリンク共有データチャネルの時間軸で早い方から２個目の時間領域であるＯＦＤＭシンボルの周波数軸で周波数が小さい方から５番目と６番目のサブキャリアのリソースエレメントがＤ４であるので、送信アンテナＴｘ４に対し、ＳＦＢＣ符号化部２０４から入力されたデータ信号を配置する。
このとき、マッピング部２０５は、送信アンテナＴｘ４において、前記Ｄ３に配置されたデータ信号と同じ情報のデータ信号を配置する。
【００８２】
マッピング部２０５は、送信アンテナＴｘ４の時間軸で早い方から２個目の時間領域であるＯＦＤＭシンボルの周波数軸の周波数が小さい方から５番目のサブキャリアのリソースエレメントに対しＳ５（１３）を配置し、周波数が小さい方から６番目のサブキャリアのリソースエレメントに対しＳ６（１４）を配置する。
これより、マッピング部２０５は、送信アンテナＴｘ３と送信アンテナＴｘ４とにおいて、異なる周波数領域に同じ情報のデータ信号Ｓ５（１３）、Ｓ６（１４）を配置することにより、送信ダイバーシチを適用している。
【００８３】
続いて、下りリンク共有データチャネルの時間軸で早い方から２個目の時間領域ＯＦＤＭシンボルでは、周波数軸で周波数が小さい方から７番目のサブキャリアのリソースエレメントは、図６（ａ）において、パイロットシグナルＲ２である。
そして、該ＯＦＤＭシンボルにおいて、周波数軸で周波数が高い方へ、周波数が小さい方から８番目のサブキャリアのリソースエレメントは、図６（ａ）において、Ｄ１３である。さらに、該ＯＦＤＭシンボルにおいて、周波数軸で周波数が高い方へ、周波数が小さい方から９番目のサブキャリアのリソースエレメントはＤ１３、周波数が小さい方から１０番目のサブキャリアのリソースエレメントはパイロットシグナルＲ１、そして、周波数が小さい方から１１番目のサブキャリアのリソースエレメントはＤ２４、周波数が小さい方から１２番目のサブキャリアのリソースエレメントはＤ２４である。
このとき、マッピング部２０５は、ＳＦＢＣ符号化部２０４から、上述のように(Ｓ１（１５）、−Ｓ２＊（１６）、Ｓ３（１７）、−Ｓ４＊（１８）)と(Ｓ２（１６）、Ｓ１＊（１５）、Ｓ４（１８）、Ｓ３＊（１７）)との２つの組が入力される。
【００８４】
マッピング部２０５は、まず、時間軸で早い方から２個目の時間領域であるＯＦＤＭシンボルでは、周波数軸で周波数が小さい方から７番目のサブキャリアであるパイロットシグナルＲ２が配置されたリソースエレメントにデータ信号を配置しない。そして、マッピング部２０５は、上述のように、ＳＦＢＣ符号化部２０４から入力された空間周波数ブロック符号ＳＦＢＣを適用したＳＦＢＣペアを配置する。
マッピング部２０５は、送信アンテナＴｘ１の時間軸で早い方から２個目の時間領域であるＯＦＤＭシンボルの周波数軸の周波数が小さい方から８番目のサブキャリアのリソースエレメントに対しＳ１（１５）を配置し、周波数が小さい方から９番目のサブキャリアのリソースエレメントに対し−Ｓ２＊（１６）を配置する。また、マッピング部２０５は、送信アンテナＴｘ３の時間軸で早い方から２個目の時間領域であるＯＦＤＭシンボルの周波数が小さい方から８番目のサブキャリアのリソースエレメントに対しＳ２（１６）を配置し、周波数が小さい方から９番目のサブキャリアのリソースエレメントに対しＳ１＊（１５）を配置する。
【００８５】
マッピング部２０５は、次に、時間軸で早い方から２個目の時間領域であるＯＦＤＭシンボルでは、周波数軸で周波数が小さい方から１０番目のサブキャリアであるパイロットシグナルＲ１が配置されたリソースエレメントにデータ信号を配置しない。
マッピング部２０５は、送信アンテナＴｘ２の時間軸で早い方から２個目の時間領域であるＯＦＤＭシンボルの周波数軸の周波数が小さい方から１１番目のサブキャリアのリソースエレメントに対しＳ３（１７）を配置し、周波数が小さい方から１２番目のサブキャリアのリソースエレメントに対し−Ｓ４＊（１８）を配置する。また、マッピング部２０５は、送信アンテナＴｘ４の時間軸で早い方から２個目の時間領域であるＯＦＤＭシンボルの周波数が小さい方から１１番目のサブキャリアのリソースエレメントに対しＳ４（１８）を配置し、周波数が小さい方から１２番目のサブキャリアのリソースエレメントに対Ｓ３＊（１７）を配置する。
【００８６】
マッピング部２０５は、前記配置を施すと、時間軸で早い方から２個目のＯＦＤＭシンボルにおいて、全ての周波数領域のリソースエレメントにデータ信号を配置するので、次に、時間軸で早い方から３個目に早い時間領域であるＯＦＤＭシンボルにデータ信号を配置する。３番目に早い時間領域であるＯＦＤＭシンボルの配置は、１番目に早い時間領域であるＯＦＤＭシンボルの配置と同じなので、説明は省略する。
【００８７】
図１０は、送信アンテナＴｘ１と送信アンテナＴｘ２でそれぞれ送信信号を４つ間引く場合に、マッピング部２０５が行う信号の配置を示す図である。図１０（ａ）〜（ｄ）は、それぞれ、送信アンテナＴｘ１〜Ｔｘ４に対応する。
【００８８】
図１０では、図６中の下りリンク共有データチャネルである時間領域の４個目から６個目までのＯＦＤＭシンボルを示している。
ここで、Ｓｌ（ｍ）（ｌとｍは正の整数）は、リソースエレメントに配置された前記データ信号である。符号Ｒａ（ａは１桁の数字）は、送信アンテナＴｘａから送信されるパイロットシグナルである。また、黒塗りのリソースエレメントは、他のアンテナにおいてパイロットシグナルを配置するリソースエレメントである。
【００８９】
図１０と図９を比較すると、図１０中の時間軸で早い方から１個目の時間領域であるＯＦＤＭシンボルと時間軸で早い方から３個目の時間領域であるＯＦＤＭシンボルへの配置方法は、図９中の時間軸で早い方から１個目の時間領域であるＯＦＤＭシンボルへの配置方法と同じである。さらに、図１０中の時間軸で早い方から２個目の時間領域であるＯＦＤＭシンボルについても、周波数軸で周波数が小さい方から６番目のサブキャリアのリソースエレメントに対する配置までは、図９中の時間軸で早い方から２個目の時間領域であるＯＦＤＭシンボルへの配置方法と同じである。よって、図１０中の時間軸で早い方から２個目の時間領域であるＯＦＤＭシンボルについて、周波数軸で周波数が小さい方から７番目のサブキャリアのリソースエレメント以降の配置についてのみ説明をする。
【００９０】
下りリンク共有データチャネルの時間軸で早い方から２個目の時間領域であるＯＦＤＭシンボルでは、周波数軸で周波数が小さい方から７番目のサブキャリアのリソースエレメントは、図６（ａ）において、パイロットシグナルＲ２である。そして、該ＯＦＤＭシンボルにおいて、周波数軸で周波数が高い方へ、周波数が小さい方から８番目のサブキャリアのリソースエレメントは、図６（ａ）において、Ｄ３である。さらに、該ＯＦＤＭシンボルにおいて、周波数軸で周波数が高い方へ、周波数が小さい方から９番目のサブキャリアのリソースエレメントはＤ３、周波数が小さい方から１０番目のサブキャリアのリソースエレメントはパイロットシグナルＲ１、そして、周波数が小さい方から１１番目のサブキャリアのリソースエレメントはＤ４、周波数が小さい方から１２番目のサブキャリアのリソースエレメントはＤ４である。
このとき、ＳＦＢＣ符号化部２０４からは、上述のように、(Ｓ５（１５）、Ｓ６（１６）)が入力される。
【００９１】
マッピング部２０５は、まず、時間軸で早い方から２個目の時間領域であるＯＦＤＭシンボルでは、周波数軸で周波数が小さい方から７番目のサブキャリアであるパイロットシグナルＲ１が配置されたリソースエレメントにデータ信号を配置しない。
そして、マッピング部２０５は、上述のように、送信アンテナＴｘ１の時間軸で早い方から２個目の時間領域であるＯＦＤＭシンボルの周波数軸の周波数が小さい方から８番目のサブキャリアのリソースエレメントに対しＳ５（１５）を配置し、周波数が小さい方から９番目のサブキャリアのリソースエレメントに対しＳ６（１６）を配置する。
【００９２】
マッピング部２０５は、同様に、時間軸で早い方から２個目の時間領域であるＯＦＤＭシンボルでは、周波数軸で周波数が小さい方から１０番目のサブキャリアであるパイロットシグナルＲ１が配置されたリソースエレメントにデータ信号を配置しない。
そして、マッピング部２０５は、送信アンテナＴｘ２の時間軸で早い方から２個目の時間領域であるＯＦＤＭシンボルの周波数軸の周波数が小さい方から１１番目のサブキャリアのリソースエレメントに対しＳ５（１５）を配置し、周波数が小さい方から１２番目のサブキャリアのリソースエレメントに対しＳ６（１６）を配置する。
【００９３】
また、マッピング部２０５は、報知チャネルに前記パンクチャリソースエレメントが配置されるリソースエレメントの位置情報を信号として配置する。
【００９４】
以下、複数の物理リソースブロックＰＲＢからなるＮ個のサブキャリアを有するＯＦＤＭシンボルについて説明をする。
Ｎ個のサブキャリアを有するＯＦＤＭシンボルについては、マッピング部２０５は、上記配置を繰り返し、データ信号を配置する。図１１は、送信信号Ｘと各送信アンテナＴｘ１〜Ｔｘ４が送信するデータ信号Ｘ１〜Ｘ４を示す図である。図１１の構成要素が持つ機能は、図２の構成要素が持つ機能と同じである。
【００９５】
図１１では、直並列変換部２０３がデータ信号Ｘを直並列変換し、ＳＦＢＣ符号化部２０４とマッピング部２０５は、前記ＳＦＢＣ符号化処理と周波数切換送信ダイバーシチＦＳＴＤ処理を行い、データ信号Ｘ１、Ｘ２、Ｘ３、Ｘ４を逆フーリエ変換部２０６１〜２０６４に出力する。
【００９６】
式（１）は、パイロットシグナルを有さないＯＦＤＭシンボルについて、空間周波数ブロック符号ＳＦＢＣと周波数切換送信ダイバーシチＦＳＴＤを適用した送信信号Ｘ１、Ｘ２、Ｘ３、Ｘ４を列で表したものである。
【００９７】
【数１】
2009164961.tif 000003
【００９８】
ここで、Ｓｌ（ｍ）（ｌとｍは正の整数）は、前記送信信号である。Ｘｓ（ｓは1桁の整数）は送信アンテナＴｘｓに対応するリソースエレメントに配置される送信信号の列である。また、列の要素であるデータ信号は、周波数軸で周波数が小さいサブキャリアから順番に配置される。
【００９９】
式（１）では、マッピング部２０５は、送信アンテナＴｘ１及びＴｘ３のペアと、送信アンテナＴｘ２及びＴｘ４のペアとは、それぞれ異なる送信信号を配置する。また、送信アンテナＴｘ１及びＴｘ３のペアに送信信号を配置するサブキャリアには、送信アンテナＴｘ２及びＴｘ４のペアには送信信号を配置せず、２サブキャリア毎に送信アンテナのペアを切り替えながら送信信号を配置する。
【０１００】
式(２)と式(３)は、パイロットシグナルを有するＯＦＤＭシンボルについて空間周波数ブロック符号ＳＦＢＣと周波数切換送信ダイバーシチＦＳＴＤを適用したデータＸ１、Ｘ２、Ｘ３、Ｘ４を列で表したものである。
【０１０１】
【数２】
2009164961.tif 000004
【０１０２】
【数３】
2009164961.tif 000005
【０１０３】
ここで、Ｓｌ（ｍ）（ｌとｍは正の整数）は、前記送信信号である。Ｘｉ（ｉは1桁の整数）は送信アンテナＴｘｉに対応するリソースエレメントに配置される送信信号の列である。また、ＭとＬは、Ｎからパイロットシグナルの数とパンクチャエレメントの数との合計を引いた整数である。
【０１０４】
式(２)は、１つの送信アンテナにつき、パイロットシグナルの電力を上げない場合に２つの送信信号に使用する電力を、パイロットシグナルの電力を上げるために使用する場合の信号を列で表したものである。
【０１０５】
式(２)では、初めの４サブキャリアは、パイロットシグナルを配置しない送信アンテナＴｘ３とＴｘ４に２つの同じ信号を周波数の異なるサブキャリアのリソースエレメントに配置する。
このとき、マッピング部２０５は、送信アンテナＴｘ３に信号を配置したサブキャリアには、他の送信アンテナＴｘ１、Ｔｘ２、Ｔｘ４に信号を配置しない。また、マッピング部２０５は、送信アンテナＴｘ４に信号を配置したサブキャリアには、他の送信アンテナＴｘ１、Ｔｘ２、Ｔｘ３に信号を配置しない。
【０１０６】
次の４サブキャリアは、パイロットシグナルの電力が、データ信号及び制御信号の電力と同じである場合と同様に、送信アンテナＴｘ１とＴｘ３のペアと送信アンテナＴｘ２とＴｘ４のペアでそれぞれ異なる信号が配置され、送信アンテナＴｘ１とＴｘ３のペアに信号を配置するサブキャリアには送信アンテナＴｘ２とＴｘ４のペアには信号を配置せず、２サブキャリアで送信アンテナのペアを切り替えて信号を配置する。
【０１０７】
式(３)は、１つの送信アンテナにつき、パイロットシグナルの電力を上げない場合に４つの送信信号に使用する電力を、パイロットシグナルの電力を上げるために使用する場合の信号を列で表したものである。
式(３)では、パイロットシグナルを配置しない送信アンテナＴｘ３とＴｘ４に同じ信号を１つずつ配置し、送信アンテナＴｘ３に信号を配置するサブキャリアでは送信アンテナＴｘ１とＴｘ２とＴｘ４に信号を配置せず、送信アンテナＴｘ４に信号を配置するサブキャリアでは送信アンテナＴｘ１とＴｘ２とＴｘ３には信号を配置しない。パイロットシグナルを送信するアンテナＴｘ１とＴｘ２には信号を配置しない。
【０１０８】
なお、式（１）では、送信信号Ｘ１、Ｘ２、Ｘ３、Ｘ４のうち、1番目の送信信号の信号要素の組（Ｓ１（１）、Ｓ２（２）、Ｓ３（３）、Ｓ４（４））と、Ｎ／４番目の送信信号の信号要素の組（Ｓ１（Ｎ−３）、Ｓ２（Ｎ−２）、Ｓ３（Ｎ−１）、Ｓ４（Ｎ））をＳＦＢＣ符号化処理と周波数切換ダイバーシチＦＳＴＣ処理をした要素のみを明示的に示す。しかし、その間の送信信号についても、２番目の送信信号の信号要素の組（Ｓ１（５）、Ｓ２（６）、Ｓ３（７）、Ｓ４（８））から（Ｎ／４−１）番目の送信信号の信号要素の組（Ｓ１（Ｎ−７）、Ｓ２（Ｎ−６）、Ｓ３（Ｎ−５）、Ｓ４（Ｎ−４））までを、同様のパターンを繰り返して配置するのはもちろんである。
式(２)と式(３)中の信号Ｘ１、Ｘ２、Ｘ３、Ｘ４は、１物理リソースブロック内の周波数領域で信号を配置するサブキャリアの数である、８サブキャリアで１つの送信信号の組となっており、１個目の送信信号の組とＮ／８番目の送信信号の組の要素のみを明示的に示すが、その間の送信信号についても、２番目の送信信号の組から（Ｎ／８−１）番目の組までを、同様のパターンを繰り返して配置する。
【０１０９】
以下、本実施形態である送信アンテナの送信信号の配置と送信アンテナの電力の関係を説明する。図１２は、図６（ａ）中の時間軸で早い方から８個目の時間領域であるＯＦＤＭシンボルである。図１２は横軸を送信アンテナ、縦軸を周波数とし、各枡目はリソースエレメントを表す。
Ｓｌは、前記データ信号を示し、Ｓｌ（ｍ）で直並列変換された信号の順番を示す正の整数ｍを省略したものである。また、符号Ｒａ（ａは１桁の数字）は、送信アンテナＴｘａから送信されるパイロットシグナルである。マッピング部２０５は、黒塗りのリソースエレメントは、他のアンテナにおいてパイロットシグナルを配置するリソースエレメントであり、信号を配置しない。また、マッピング部２０５は、白抜きのリソースエレメントには信号を配置しない。
ここで、データ信号の電力を「１」とし、電力を上げる前のパイロットシグナルの電力を「１」とする。
【０１１０】
図１２（ａ）は、仮に、データ信号を間引かないとしたときの図である。図１２（ａ）において、パイロットシグナルを送信する送信アンテナＴｘ１と送信アンテナＴｘ２に対応するリソースエレメントには、パイロットシグナルが２つ、データ信号が４つ配置されるので、送信アンテナＴｘ１と送信アンテナＴｘ２が送信するＯＦＤＭシンボルの電力は「６」である。一方、パイロットシグナルを送信しない送信アンテナＴｘ３と送信アンテナＴｘ４に対応するリソースエレメントには、データ信号が４つ配置されるので、送信アンテナＴｘ３と送信アンテナＴｘ４が送信するＯＦＤＭシンボルの電力は「４」となる。
【０１１１】
図１２（ｂ）は、本実施形態である送信アンテナＴｘ１で送信信号を２つ間引くときの図である。パイロットシグナルを送信する送信アンテナＴｘ１と送信アンテナＴｘ２に対応するＯＦＤＭシンボルにおいて、間引いたデータ信号の電力をパイロットシグナルの電力を上げるために使うので、パイロットシグナルの電力は「２」となる。
【０１１２】
図１２（ｂ）において、パイロットシグナルを送信する送信アンテナＴｘ１とＴｘ２に対応するリソースエレメントには、電力が「２」のパイロットシグナル２つ、電力が「１」のデータ信号が２つ配置されるので、送信アンテナＴｘ１と送信アンテナＴｘ２が送信するＯＦＤＭシンボルの電力は「６」となる。一方、パイロットシグナルを送信しない送信アンテナＴｘ３と送信アンテナＴｘ４に対応するリソースエレメントには、電力が「１」のデータ信号が４つ配置されるので、送信アンテナＴｘ３と送信アンテナＴｘ４が送信するＯＦＤＭシンボルの電力は「４」となる。
【０１１３】
図１２（ｃ）は、２つの空間周波数ブロック符号ＳＦＢＣと周波数切換送信ダイバーシチＦＳＴＤの処理をしたデータ信号のグループ４つ分のデータ信号を間引いた図である。パイロットシグナルを送信する送信アンテナＴｘ１と送信アンテナＴｘ２では、図１２（ｂ）と同じように、間引いたデータ信号の電力をパイロットシグナルの電力を上げるために使うので、パイロットシグナルの電力は「３」となる。
【０１１４】
図１２（ｃ）において、パイロットシグナルを送信する送信アンテナＴｘ１と送信アンテナＴｘ２に対応するリソースエレメントには、電力が「３」のパイロットシグナル２つ配置され、データ信号が配置されないので、送信アンテナＴｘ１と送信アンテナＴｘ２が送信するＯＦＤＭシンボルの電力は「６」となる。一方、パイロットシグナルを送信しない送信アンテナＴｘ３と送信アンテナＴｘ４に対応するリソースエレメントには、電力が「１」のデータ信号が４つ配置されるので、送信アンテナＴｘ３と送信アンテナＴｘ４が送信するＯＦＤＭシンボルの電力は「４」となる。
【０１１５】
次に、本実施形態である移動局装置について説明をする。図１３は、本実施形態に係る移動局装置の概略構成を示すブロック図である。
移動局装置は、受信処理部３０１と、制御部３０２と、送信処理部３０３とを備える。
【０１１６】
受信処理部３０１は、後述するように、下りリンク制御チャネル、下りリンク共有データチャネル、下りリンクパイロットチャネル、制御フォーマットインディケータチャネルに対し受信処理を行い、検出した制御データを制御部に出力するとともに、検出した情報データを外部に出力する。
制御部３０２は、基地局装置より下りリンク制御チャネル、下りリンク共有データチャネルを用いて通知された制御データに基づいて、送信処理部３０３、受信処理部３０１を制御する。
送信処理部３０３は、制御部による制御に従い、上りリンク制御チャネル、上りリンク共有データチャネル、上りリンクパイロットシグナル、ランダムアクセスチャネルに対し、外部から入力された情報データおよび制御部から受けた制御データを割り当てて、基地局装置に送信する。
【０１１７】
以下、受信処理部３０１の詳細について説明する。
図１４は、本実施形態である空間周波数ブロック符号ＳＦＢＣと周波数切換送信ダイバーシチＦＳＴＤの処理をした信号を受信する移動局装置の受信処理部３０１の内部構成を示す概略ブロック図である。移動局装置の受信処理部３０１は、無線受信部４０１、フーリエ変換（具体的には、離散フーリエ変換）部４０２、デマッピング部４０３、伝搬路推定部４０４、ＳＦＢＣ復号化部（復号部）４０５、最大比合成部４０６、復調復号化部４０７、受信アンテナＲｘを備えている。
本実施形態では、受信アンテナＲｘが1本の場合である。しかし、本発明はこれに限定されず、受信アンテナが複数あってもよい。移動局装置が受信する信号は、基地局装置の複数の送信アンテナＴｘ１〜Ｔｘ４が送信した信号が合成されたものになる。
【０１１８】
無線受信部４０１は、受信アンテナＲｘで受信した信号を適切に増幅し、中間周波数に変換し（ダウンコンバート）、不要な周波数成分を除去する。また、信号レベルが適切に維持されるように増幅レベルを制御し、受信した信号の同相成分及び直交成分に基づいて直交復調し、直交復調されたアナログ信号をデジタル信号に変換する。さらに、デジタル信号からガードインターバルに相当するサイクリックプレフィックスを除去してフーリエ変換部に出力する。
フーリエ変換部４０２は、無線受信部４０１から入力されたデジタル信号をフーリエ変換し、ＯＦＤＭ方式の復調を行う。そして、フーリエ変換部４０２は、該復調をしたデジタル信号をデマッピング部４０３に出力する。
【０１１９】
デマッピング部４０３、伝搬路推定部４０４、ＳＦＢＣ復号化部４０５、及び最大比合成部４０６は信号を復調し、復調復号化部４０７に出力する。なお、詳細については、後述する。
デマッピング部４０３は、フーリエ変換部４０２から入力されたデジタル信号をパイロットシグナル（参照信号）とデータ信号に分離する。デマッピング部４０３は、分離したパイロットシグナルを伝搬路推定部４０４に出力する。
さらに、デマッピング部４０３は、データ信号をパンクチャリソースエレメントに配置されたデータ信号とそれ以外のデータ信号に分離し、該分離したデータ信号をそれぞれ、最大比合成部４０６とＳＦＢＣ復号化部４０５に出力する。
【０１２０】
伝搬路推定部４０４は、パイロットシグナルに基づいて各送信アンテナＴｘ１〜Ｔｘ４に対する伝搬路変動を推定し伝搬路推定値を求め、最大比合成部４０６とＳＦＢＣ復号化部４０５に出力する。
最大比合成部４０６とＳＦＢＣ復号化部４０５は、伝搬路推定部４０４から入力された伝搬路推定値を用いてデマッピング部４０３から入力された信号を複合し、復調復号化部４０７に出力する。
復調復号化部４０７は、ＳＦＢＣ復号化部４０５と最大比合成部４０６から出力される信号に対して、復調処理や誤り訂正復号化処理を行い、情報データと制御データを検出する。
【０１２１】
以下、本実施形態であるデマッピング部４０３と伝搬路推定部４０４とＳＦＢＣ復号化部４０５と最大比合成部４０６の詳細を説明する。
図１５は、本実施形態における基地局装置が備えるデマッピング部４０３とＳＦＢＣ復号化部４０５と最大比合成部４０６を説明する図である。移動局装置が受信する信号は、４本の送信アンテナＴｘ１〜Ｔｘ４を用いた空間周波数ブロック符号ＳＦＢＣと周波数切換送信ダイバーシチＦＳＴＤとパイロットシグナルの電力を上げるために空間周波数ブロック符号ＳＦＢＣ以外の信号配置方法を適用してリソースエレメントに信号を配置し各々の送信アンテナから送信した信号を合成したものである。
図１５の構成要素が持つ機能は、図１３の構成要素が持つ機能と同じである。
【０１２２】
デマッピング部４０３は、フーリエ変換部４０２から入力されたデジタル信号をパイロットシグナル（参照信号）とデータ信号に分離する。そして、デマッピング部４０３は、該分離した各送信アンテナのパイロットシグナルを伝搬路推定部４０４に出力する。
さらに、デマッピング部４０３は、基地局装置が送信した前記報知チャネルに配置された信号より、パンクチャリソースエレメントが配置されるリソースエレメントの位置を特定する。そして、デマッピング部４０３は、パイロットシグナルが配置された時間領域で周波数が小さいほうから４つの連続するパンクチャリソースエレメントのすべてに信号が配置されているか否かを判断する。本実施形態では、すべてに信号が配置されているので、該パンクチャリソースエレメントでは、データ信号がＳＦＢＣ符号化されていないと判断する。
デマッピング部４０３は、該特定したに基づき、データ信号をＳＦＢＣ符号化処理された信号とＳＦＢＣ符号化処理をされていない信号に分離する。デマッピング部４０３は、ＳＦＢＣ符号化処理をした信号はＳＦＢＣ復号化部４０５に出力する。また、デマッピング部４０３は、ＳＦＢＣ符号化処理をしていない信号は、異なる周波数領域に配置された同一のデータ信号を特定し、該データ信号を組にして、最大比合成部４０６に出力する。
【０１２３】
伝搬路推定部４０４は、デマッピング部４０３から入力されたパイロットシグナルに基づいて、各送信アンテナＴｘ１〜Ｔｘ４に対する伝搬路変動を推定し伝搬路推定値を求める。伝搬路推定部４０４は、求めた各送信アンテナの伝搬路推定値から、それぞれ周波数方向に補間を行い、次に時間方向に補間を行うことで、全てのリソースエレメントの伝搬路推定値を求める。伝搬路推定部４０４は、該求めた各送信アンテナの伝搬路推定値を、ＳＦＢＣ復号化部４０５の合成部４０５１と最大比合成部４０６の合成部４０６１と、ＳＦＢＣ復号化部４０５と最大比合成部４０６で共有している伝搬路補償部４１０に出力する。
【０１２４】
ＳＦＢＣ復号化部４０５の合成部４０５１は、デマッピング部４０３から入力されたＳＦＢＣ符号化処理された信号と伝搬路推定部４０４から入力された伝搬路推定値とに対し、共役転置と符号反転を順番に施し、該信号と伝搬路推定値を掛け合わせてから足し合わせ合成をする。そして、合成部４０５１は、複数の送信アンテナＴｘ１〜Ｔｘ４から送信された該合成した信号を、各送信アンテナの信号１つずつに分離し、伝搬路補償部４１０に信号を出力する。
なお、合成部４０５１では、ＳＦＢＣのペアとなる２つのサブキャリア単位で処理が行われる。合成部４０５１で使われる伝搬路推定値はサブキャリア毎に異なり、そのサブキャリアで信号を送信した送信アンテナの伝搬路推定値が使われる。
【０１２５】
最大比合成部４０６の合成部４０６１は、デマッピング部４０３で分離したＳＦＢＣ符号化処理されていない信号に対し、同じ情報のデータ信号を配置したペア（Ｄ１とＤ２もしくはＤ３とＤ４）を特定する。合成部４０６１は、該信号のペアに対して、伝搬路推定部４０４から出力された、この２つのサブキャリアを送信した送信アンテナの伝搬路推定値の複素共役を信号に掛け合わせてから足し合わせ、伝搬路補償部４１０に出力する。
【０１２６】
伝搬路補償部４１０では、合成部４０５１から出力された送信信号と伝搬路推定部４０４から出力された各送信アンテナの伝搬路推定値とに基づき、尤関数を用いた最尤判定法により、伝搬路の補償を行う。ただし、本発明において、伝搬路を補償する方法は最尤判定法に限られず、例えば、最小平均２乗誤差法がある。
そして、伝搬路補償部４１０は、該補償を行った復調復号化部４０７へ信号を出力する。
【０１２７】
なお、空間周波数ブロック符号ＳＦＢＣと周波数切換送信ダイバーシチＦＳＴＤを用いたシステムには、このようなアンテナの組み合わせ、リソースエレメントに配置するアンテナペアの順番、受信アンテナの本数だけでなく、その他のアンテナの組み合わせ、受信アンテナの本数を用いてもよい。
【０１２８】
次に動作について説明をする。
図１６は、本実施形態による基地局装置の動作を説明するフローチャートである。基地局装置の送信処理部は、データ制御部２０１が受け付けた各移動局装置宛ての情報データおよび制御データを変調符号化部２０２に出力し、変調符号化部２０２は、誤り訂正符号化して変調し、直並列変換部２０３に出力する（Ｓ１０１）。そして、直並列変換部２０３は、変調符号化部２０２が変調した送信信号を直並列変換し、ＳＦＢＣ符号化部２０４に出力する（Ｓ１０２）。
ＳＦＢＣ符号化部２０４は、制御部１０２から入力されたリソースエレメント割り当て情報より、直並列変換部２０３から入力された送信信号が、パンクチャリソースエレメントに割り当てられる送信信号か否かを判定する（Ｓ１０３）。ＳＦＢＣ符号化部２０４は、パンクチャリソースエレメントに割り当てられる送信信号であれば、直並列変換部２０３から入力された送信信号をそのままマッピング部２０５に出力し、該信号以外であれば、空間周波数ブロック符号ＳＦＢＣ処理を行って（Ｓ１０４）マッピング部２０５に出力する。
参照信号生成部２１０では、各送信アンテナＴｘ１〜Ｔｘ４用のパイロットシグナルを生成し、マッピング部２０５に出力する（Ｓ１０５）。そして、マッピング部２０５は、参照信号生成部２１０から入力されたパイロットシグナルを、先にステップにて飛ばしたリソースエレメントに配置する（Ｓ１０６）。
【０１２９】
次に、マッピング部２０５は、ＳＦＢＣ符号化部２０４がＳＦＢＣ符号化した送信信号を、周波数切換送信ダイバーシチＦＳＴＤとなるように、すなわち周波数領域に隣接するリソースエレメントで異なる送信アンテナペアとなるように順番に配置する。一方、マッピング部２０５は、ＳＦＢＣ符号化部２０４がＳＦＢＣ符号化をしなかった信号を、サブキャリアに１つずつ配置する。このとき、マッピング部２０５は、パイロットシグナルが配置されるリソースエレメントは飛ばして配置する。
このようにパイロットシグナルとＳＦＢＣ符号化された信号とＳＦＢＣ符号化されなかった信号をリソースエレメントに配置していき、ＯＦＤＭシンボルの全てのサブキャリアのリソースエレメントに信号を配置すると、次のＯＦＤＭシンボルのサブキャリアのリソースエレメントに信号を配置する（Ｓ１０７）。
【０１３０】
逆フーリエ変換部は、それぞれ対応する送信アンテナＴｘ１〜Ｔｘ４用の信号列であって、マッピング部が各サブキャリアのリソースエレメントに配置した周波数領域に並んだ信号列を逆フーリエ変換する（Ｓ１０８）。Ｃｙｃｌｉｃ  Ｐｒｅｆｉｘ付加部２０７１〜２０７４は、これにサイクリックプレフィックスを付加する（Ｓ１０９）。無線送信部２０８１〜２０８４は、アンテナＴｘ１〜Ｔｘ４を介して、下りリンクのデータ送信をする（Ｓ１１０）。
【０１３１】
図１７は、本実施形態による移動局装置の処理を示すフローチャートである。
無線受信部４０１は、下りリンクにて受信した信号からサイクリックプレフィックスを除去し、フーリエ変換部４０２へ出力する（Ｓ２０１）。フーリエ変換部４０２は、無線受信部４０１から入力された信号をフーリエ変換して、各サブキャリアに分離し、デマッピング部４０３に出力する（Ｓ２０２）。
【０１３２】
デマッピング部４０３は、フーリエ変換部４０２から入力された信号のうち、下りリンクパイロットチャネルが配置されているリソースエレメントからパイロットシグナルを抽出し、伝搬路推定部４０４に出力する（Ｓ２０３）。
伝搬路推定部４０４は、デマッピング部４０３から入力されたパイロットシグナルに基づき、下りリンクパイロットチャネルが割り当てられているリソースエレメントのパイロットシグナルを送信した送信アンテナＴｘ１〜Ｔｘ４からの伝搬路推定値を算出する（Ｓ２０４）。さらに、伝搬路推定部４０４は、該算出した伝搬路推定値を用いて補間することで、その他のリソースエレメントの伝搬路推定値を算出する（Ｓ２０５）。
【０１３３】
また、デマッピング部４０３は、フーリエ変換部４０２から入力された信号のうち、パイロットシグナルが割り当てられていないリソースエレメントからデータ信号を抽出する（２０６）。また、デマッピング部４０３は、報知チャネルの情報から、パンクチャリソースエレメントに割り当てられる送信信号か否かを判定する。また、デマッピング部４０３は、該パンクチャリソースエレメントに配置された信号の位置から配置方法を特定する（Ｓ２０７）。
【０１３４】
そして、デマッピング部４０３は、パンクチャリソースエレメントに配置されたＳＦＢＣ符号化処理をされなかったデータ信号を最大比合成部４０６に出力する。最大比合成部は、伝搬路推定部４０４が算出した伝搬路推定値を用いて、該データ信号を復元する。（Ｓ２０９）。
一方、デマッピング部４０３は、該パンクチャリソースエレメント以外に配置されたデータ信号であるＳＦＢＣ符号化処理された信号をＳＦＢＣ復号化部４０５へ出力する。ＳＦＢＣ復号化部４０５は、伝搬路推定部４０４が算出した伝搬路推定値を用いて、該データ信号をＳＦＢＣ復号化する。（Ｓ２０８）。
【０１３５】
復調復号化部４０７は、ＳＦＢＣ復号化部４０５と最大比合成部４０６により、復号化されたデータ信号を、並直列変換する（Ｓ２１０）。そして、復調復号化部４０７は、該直並列変換した信号を、復調し、誤り訂正復号化した制御データと情報データとを、それぞれ、制御部３０２と外部である周辺回路に出力する（Ｓ２１１）。
【０１３６】
このように、本実施形態によれば、複数のアンテナを用いた無線システムにおいて、データ信号と制御信号を間引くことにより、複数アンテナのうち一部のアンテナが送信するパイロットシグナルの電力をデータ信号と制御信号より上げても、アンテナ間の消費電力のバランスは崩れない。これにより、パイロットシグナルの送信電力を上げた場合であっても、アンテナ間の消費電力のバランスが崩れず、すべての送信アンテナが無線送信装置の電力を有効に利用でき、データ信号の量を減らさずにデータ信号を送信することができる。
【０１３７】
また、仮に、パイロットシグナルを多く送信する送信アンテナＴｘ１と送信アンテナＴｘ２でＳＦＢＣペアを送信し、送信するパイロットシグナルが少ない送信アンテナＴｘ３と送信アンテナＴｘ４でＳＦＢＣペアを送信するとした場合、パイロットシグナルが少ない送信アンテナＴｘ３と送信アンテナＴｘ４の伝搬路推定誤差が大きくなり、送信アンテナＴｘ３と送信アンテナＴｘ４から送信する信号の誤り率特性が悪くなる。本実施形態では、パンクチャリソースエレメント以外は、パイロットシグナルを多く送信する送信アンテナと送信するパイロットシグナルが少ない送信アンテナのペアである送信アンテナＴｘ１と送信アンテナＴｘ３及び送信アンテナＴｘ２と送信アンテナＴｘ４でＳＦＢＣペアを送信するので、送信信号の誤り特性は悪くならない。特に、本実施形態は、移動局装置が高速に移動しているときでも、送信信号の誤り特性が悪くならない点で有効である。
また、本実施形態は、パイロットシグナルを基地局装置ごとに周波数方向にシフトさせるシフティングをする場合であっても適用することができる。
【０１３８】
なお、本実施形態では、図６のようにＤ１とＤ２とＤ３とＤ４を配置しているが、本発明の配置方法はこれに限らず、図６の黒い丸で囲まれているリソースエレメントにおいて、Ｄ１とＤ２またはＤ３とＤ４を交互に配置、また、どちらを先に配置してもよく、Ｄ１とＤ２またはＤ３とＤ４の数が同じであれば、どのように配置してもよい。
【０１３９】
（第２の実施形態）
以下、図面を参照しながら本発明の第２の実施形態について詳しく説明する。本実施形態は、無線送信装置である基地局装置と無線受信装置である複数の移動局装置とから構成される移動通信システムである。
まず、本実施形態である基地局装置について説明をする。図１８は、本実施形態に係る基地局装置の概略構成を示すブロック図である。本実施形態と第１の実施形態を比較すると、後述するように送信処理部５０３が異なる。しかし、他の構成要素が持つ機能は第１の実施形態と同じであるので、第１の実施形態と同じ機能の説明は省略する。
【０１４０】
図１９は、本実施形態における基地局装置の送信処理部５０３および送信処理部１０３に関連する制御部１０２の内部構成を示す概略ブロック図である。本実施形態と第１の実施形態を比較すると、後述するようにＳＦＢＣ符号化部６０４とマッピング部６０５とが行う信号の配置方法が異なる。しかし、他の構成要素が持つ機能は第１の実施形態と同じであるので、第１の実施形態と同じ機能の説明は省略する。
【０１４１】
以下、基地局装置のＳＦＢＣ符号化部６０４とマッピング部６０５が行う前記配置方法について詳細を説明する。
まず、本実施形態であるリソースエレメントと送信アンテナの関係について詳細を説明する。図２０は、本実施形態である４本の送信アンテナを用いた空間周波数ブロック符号ＳＦＢＣと周波数切換送信ダイバーシチＦＳＴＤを適用したリソースエレメントと送信アンテナの関係を説明する図である。  
【０１４２】
図２０（ａ）と（ｂ）において、符号ＣａｂとＤｂｃ（ａ、ｂは１桁の数字）は、下りリンク制御チャネルと下りリンク共有データチャネルの信号であり、送信アンテナＴｘａとＴｘｂの該当リソースエレメントに空間周波数ブロック符号ＳＦＢＣの処理をした信号を配置し、残りの送信アンテナにおいては信号を配置しないことを表す。
符合Ｒｄ（ｄは１桁の数字）は、送信アンテナＴｘｄの該当リソースエレメントに、パイロットシグナルを配置し、残りの送信アンテナにおいては信号を配置しないことを表す。
また、白抜きのリソースエレメントはすべての送信アンテナについて信号を配置しないことを表している。
【０１４３】
図２０（ａ）と（ｂ）では、時間軸で早い方から１個目と８個目のＯＦＤＭシンボルには、周波数軸で周波数が小さい方から１番目と７番目のサブキャリアのリソースエレメントに送信アンテナＴｘ１のパイロットシグナルＲ１、４番目と１０番目のサブキャリアに送信アンテナＴｘ２のパイロットシグナルＲ２が配置されている。２個目のＯＦＤＭシンボルには、１番目と７番目のサブキャリアに送信アンテナＴｘ３のパイロットシグナルＲ３、４番目と１０番目のサブキャリアに送信アンテナＴｘ４のパイロットシグナルＲ４が配置されている。５個目と１２番目のＯＦＤＭシンボルには、１番目と７番目のサブキャリアに送信アンテナＴｘ２のパイロットシグナルＲ２、４番目と１０番目のサブキャリアに送信アンテナＴｘ１のパイロットシグナルＲ１が配置されている。９個目のＯＦＤＭシンボルには、１番目と７番目のサブキャリアに送信アンテナＴｘ４のパイロットシグナルＲ４、４番目と１０番目のサブキャリアに送信アンテナＴｘ３のパイロットシグナルＲ３が配置されている。
【０１４４】
そして、これらパイロットシグナルが配置されていないリソースエレメントに、下りリンク共有データチャネルでは周波数の小さい方から大きい方へＤ１３とＤ２４とＤ１とＤ２とＤ３とＤ４が配置され、下りリンク制御チャネルではＯＦＤＭシンボルの1番目から2番目へＣ１３とＣ２４のセットが順々に配置される。下りリンク制御チャネルでは、周波数領域でＣ１３とＣ２４が交互に配置される。下りリンク共有データチャネルでは、パイロットシグナルが配置されないＯＦＤＭシンボルのリソースエレメントはＤ１３とＤ２４が交互に配置される。
【０１４５】
本実施形態では、図２０（ａ）でパイロットシグナルが配置されるＯＦＤＭシンボルのうち、５個目と８個目と１２番目のＯＦＤＭシンボルでは、リソースエレメントの周波数の小さい方からＤ３４を２つ配置し、次の２つのリソースエレメントには何も信号を配置せず、残りの４つのリソースエレメントにはＤ１３とＤ２４を交互に配置する。９個目のＯＦＤＭシンボルのリソースエレメントでは、周波数が小さいほうからＤ１２を２つ配置し、次の２つのリソースエレメントには何も信号を配置せず、残りの４つのリソースエレメントにはＤ１３とＤ２４を交互に配置する。
【０１４６】
図２０（ｂ）でパイロットシグナルが配置されるＯＦＤＭシンボルのうち、５個目と８個目と１２番目のＯＦＤＭシンボルでは、リソースエレメントの周波数の小さいほうから２番目と３番目と８番目と９番目のリソースエレメントにＤ３４を配置し、９個目のＯＦＤＭシンボルでは、リソースエレメントの周波数の小さいほうから２番目と３番目と８番目と９番目のリソースエレメントにＤ１２を配置する。
下りリンク共有データチャネルでは、同一のＯＦＤＭシンボルの全てのリソースエレメントに信号が配置されると、次の時間のＯＦＤＭシンボルのリソースエレメントの周波数の小さい方から大きい方へ、信号が配置される。
【０１４７】
なお、下りリンク制御チャネルでは、下りリンク制御チャネルに割り当てられた１個目のＯＦＤＭシンボルの周波数の低いほうから４つの信号を配置するリソースエレメントに信号を配置し、続いて次のＯＦＤＭシンボルの周波数低いほうから４つの信号を配置するリソースエレメントに配置される。時間領域において下りリンク制御チャネルに割り当てられた全てのＯＦＤＭシンボルに信号を配置されたら、１個目のＯＦＤＭシンボルの次の周波数領域のリソースエレメントから時間領域に順々に信号が配置される。
【０１４８】
以下、具体的な送信信号と該送信信号の配置方法について説明する。
まず、ＳＦＢＣ符号化処理について説明をする。
【０１４９】
ＳＦＢＣ符号化部６０４は、直並列変換部２０３から入力された送信信号に対し、前記ＳＦＢＣ符号化を行い、送信信号を冗長化する。
本実施形態においては、パイロットシグナルを送信する送信アンテナＴｘ１と送信アンテナＴｘ２で送信信号を間引いたリソースエレメントの周波数領域について、パイロットシグナルを送信しない送信アンテナＴｘ３と送信アンテナＴｘ４のリソースエレメントについても、共役転置と符号反転を行い、マッピング部６０５に出力する。
【０１５０】
図７と図２１は、本実施形態である信号を説明する説明図である。図７は、第１の実施形態と同じであるので説明は省略する。
図２１は、図２０中の送信アンテナＴｘ１のパンクチャリソースエレメントと送信アンテナＴｘ２のパンクチャリソースエレメントとに配置をする信号を説明する説明図である。図２１の構成要素が持つ機能は、図１９の構成要素が持つ機能と同じである。
【０１５１】
直並列変換部２０３は、符号化および変調された送信信号を直並列変換する。図２１において、直並列変換部２０３は、信号Ｓ７（ｇ）、Ｓ８（ｇ＋１）をＳＦＢＣ符号化部６０４に出力する。ここで、ｇは正の整数であり、括弧内の番号は、直並列変換された信号の順番を示す。
【０１５２】
まず、ＦＢＣ符号化部６０４は、制御部１０２から入力されたリソースエレメント割り当て情報より送信アンテナＴｘ１でデータ信号を間引くリソースエレメントに配置されるデータ信号Ｓ５、Ｓ６を特定する。
ＳＦＢＣ符号化部６０４は、該特定したＳ７（ｇ）、Ｓ８（ｇ＋１）を２つの信号の組（Ｓ７（ｇ）、Ｓ８（ｇ＋１））とし、該信号の組に対し、共役転置を施して(Ｓ７＊（ｇ）、Ｓ８＊（ｇ＋１）)とする。そして、ＦＢＣ符号化部６０４は、該信号に符号反転を施し、(Ｓ７（ｇ）、−Ｓ８＊（ｇ＋１）)と(Ｓ８（ｇ＋１）、Ｓ７＊（ｇ）)との２つの組をマッピング部６０５に出力する。
【０１５３】
マッピング部６０５は、ＳＦＢＣ符号化部６０４から入力された信号を、後述するように、下りリンク制御チャネルと下りリンク共有データチャネルの信号Ｄｂｃに配置をする。ただし、次の送信アンテナＴｘ２のパンクチャリソースエレメントには、信号の配置を行わない。
マッピング部６０５に配置をされた送信信号は、それぞれ、逆フーリエ変換部２０６１〜２０６４とＣｙｃｌｉｃＰｒｅｆｉｘ付加部２０７１〜２０７４を通じ出力される。
このとき、４つの信号の組（０、０、０、０)と(０、０、０、０)は送信アンテナＴｘ１と送信アンテナＴｘ２から送信される。つまり、送信アンテナＴｘ１と送信アンテナＴｘ２は、データ信号が間引かれている。
さらに、４つの信号の組(Ｓ７（ｇ）、−Ｓ８＊（ｇ＋１）、０、０)と(Ｓ８（ｇ＋１）、Ｓ７＊（ｇ）、０、０)は、送信アンテナＴｘ２と送信アンテナＴｘ４から送信される。このとき、本実施形態にあっては、マッピング部６０５は、送信アンテナＴｘ３と送信アンテナＴｘ４を新たなペアとなる。
【０１５４】
次に、マッピング部６０５が行う前記リソースエレメントへの配置について説明する。
図２２は、本実施形態であるマッピング部６０５が行うリソースエレメントへの配置を説明する図である。
図２２では、図２０中の下りリンク共有データチャネルである時間領域の４個目から６個目までのＯＦＤＭシンボルを示している。
ここで、Ｓｌ（ｍ）（ｌとｍは正の整数）は、リソースエレメントに配置された前記データ信号である。符号Ｒａ（ａは１桁の数字）は、送信アンテナＴｘａから送信されるパイロットシグナルである。また、黒塗りのリソースエレメントは、他のアンテナにおいてパイロットシグナルを配置するリソースエレメントである。
【０１５５】
本実施形態と第１の実施形態を比較すると、マッピング部６０５が行う送信アンテナＴｘ１のパンクチャリソースエレメントと送信アンテナＴｘ２のパンクチャリソースエレメントへの配置がことなる。しかし、他の配置方法は第１の実施形態と同じであるので、第１の実施形態と同じ配置方法については説明を省略する。
【０１５６】
本実施形態において、マッピング部６０５は、パイロットシグナルが配置されない送信アンテナＴｘ３と送信アンテナＴｘ４に対応するＯＦＤＭシンボルには、空間周波数ブロック符号ＳＦＢＣの処理をしていない前記２つの信号の組(Ｓ７（ｇ）、−Ｓ８＊（ｇ＋１）)と(Ｓ８（ｇ＋１）、Ｓ７＊（ｇ）)を、送信ダイバーシチとなるように、アンテナＴｘ３とＴｘ４に配置する。
【０１５７】
下りリンク共有データチャネルの時間軸で早い方から２個目の時間領域であるＯＦＤＭシンボルで、周波数軸で周波数が小さい方から１番目のサブキャリアのリソースエレメントは、図２０（ａ）において、パイロットシグナルＲ２である。そして、該ＯＦＤＭシンボルにおいて、周波数軸で周波数が高い方へ、周波数が小さい方から２番目のサブキャリアのリソースエレメントは、図２０（ａ）において、Ｄ３４である。さらに、該ＯＦＤＭシンボルにおいて、周波数軸で周波数が高い方へ、周波数が小さい方から３番目のサブキャリアのリソースエレメントはＤ３４、周波数が小さい方から４番目のサブキャリアのリソースエレメントはパイロットシグナルＲ１、周波数が小さい方から５番目と６番目のサブキャリアのリソースエレメントは信号の配置を行わないリソースエレメントである。
また、ＳＦＢＣ符号化部６０４からは、上述のように、(Ｓ７（１３）、−Ｓ８＊（１４）)と(Ｓ８（１４）、Ｓ７＊（１３）)が入力される。
【０１５８】
マッピング部６０５は、まず、時間軸で早い方から２個目の時間領域であるＯＦＤＭシンボルでは、周波数軸で周波数が小さい方から１番目のサブキャリアであるパイロットシグナルＲ２が配置されたリソースエレメントにデータ信号を配置しない。
そして、マッピング部６０５は、下りリンク共有データチャネルの時間軸で早い方から２個目の時間領域であるＯＦＤＭシンボルの周波数軸で周波数が小さい方から２番目と３番目のサブキャリアのリソースエレメントがＤ３４であるので、送信アンテナＴｘ３と送信アンテナＴｘ４に対し、空間周波数ブロック符号ＳＦＢＣを適用したＳＦＢＣペアを配置する。
【０１５９】
マッピング部６０５は、送信アンテナＴｘ３の時間軸で早い方から２個目の時間領域であるＯＦＤＭシンボルの周波数軸の周波数が小さい方から２番目のサブキャリアのリソースエレメントに対しＳ７（１３）を配置し、周波数が小さい方から３番目のサブキャリアのリソースエレメントに対し−Ｓ８＊（１４）を配置する。また、送信アンテナＴｘ４の時間軸で早い方から２個目の時間領域であるＯＦＤＭシンボルの周波数が小さい方から２番目のサブキャリアのリソースエレメントに対しＳ８（１４）を配置し、周波数が小さい方から３番目のサブキャリアのリソースエレメントに対しＳ７＊（１３）を配置する。
【０１６０】
図２３は、送信アンテナＴｘ１と送信アンテナＴｘ２でそれぞれ送信信号を４つ間引く場合に、マッピング部６０５が行う信号の配置を示す図である。図２３（ａ）〜（ｄ）は、それぞれ、送信アンテナＴｘ１〜Ｔｘ４に対応する配置である。
図２２では、図２０中の下りリンク共有データチャネルである時間領域の４個目から６個目までのＯＦＤＭシンボルを示している。
ここで、Ｓｌ（ｍ）（ｌとｍは正の整数）は、リソースエレメントに配置された前記データ信号である。符号Ｒａ（ａは１桁の数字）は、送信アンテナＴｘａから送信されるパイロットシグナルである。また、黒塗りのリソースエレメントは、他のアンテナにおいてパイロットシグナルを配置するリソースエレメントである。
【０１６１】
図２３と図２２を比較すると、図２３中の時間軸で早い方から１個目の時間領域であるＯＦＤＭシンボルと時間軸で早い方から３個目の時間領域であるＯＦＤＭシンボルへの配置方法は、図２２中の時間軸で早い方から１個目の時間領域であるＯＦＤＭシンボルへの配置方法と同じである。さらに、時間軸で早い方から２個目の時間領域であるＯＦＤＭシンボルについても、周波数軸で周波数が小さい方から６番目のサブキャリアのリソースエレメントに対する配置までは、図２０中の時間軸で早い方から２個目の時間領域であるＯＦＤＭシンボルへの配置方法と同じである。よって、図２３中の時間軸で早い方から２個目の時間領域であるＯＦＤＭシンボルについて、周波数軸で周波数が小さい方から７番目のサブキャリアのリソースエレメント以降の配置についてのみ説明をする。
【０１６２】
下りリンク共有データチャネルの時間軸で早い方から２個目の時間領域であるＯＦＤＭシンボルで、周波数軸で周波数が小さい方から７番目のサブキャリアのリソースエレメントは、図２０（ｂ）において、パイロットシグナルＲ２である。そして、該ＯＦＤＭシンボルにおいて、周波数軸で周波数が高い方へ、周波数が小さい方から８番目のサブキャリアのリソースエレメントは、図２０（ｂ）において、Ｄ３４である。さらに、該ＯＦＤＭシンボルにおいて、周波数軸で周波数が高い方へ、周波数が小さい方から９番目のサブキャリアのリソースエレメントはＤ３４、周波数が小さい方から１０番目のサブキャリアのリソースエレメントはパイロットシグナルＲ１、そして、周波数が小さい方から１１番目と１２番目のサブキャリアのリソースエレメントはは信号の配置を行わないリソースエレメントである。
また、ＳＦＢＣ符号化部６０４からは、上述のように、(Ｓ７（１５）、−Ｓ８＊（１６）)と(Ｓ８（１６）、Ｓ７＊（１５）)が入力される。
【０１６３】
マッピング部６０５は、まず、時間軸で早い方から２個目の時間領域であるＯＦＤＭシンボルでは、周波数軸で周波数が小さい方から７番目のサブキャリアであるパイロットシグナルＲ１が配置されたリソースエレメントにデータ信号を配置しない。
そして、マッピング部６０５は、上述のように、送信アンテナＴｘ３の時間軸で早い方から２個目の時間領域であるＯＦＤＭシンボルの周波数軸の周波数が小さい方から８番目のサブキャリアのリソースエレメントに対しＳ７（１３）を配置し、周波数が小さい方から９番目のサブキャリアのリソースエレメントに対し−Ｓ８＊（１４）を配置する。また、送信アンテナＴｘ４の時間軸で早い方から２個目の時間領域であるＯＦＤＭシンボルの周波数が小さい方から８番目のサブキャリアのリソースエレメントに対しＳ８（１４）を配置し、周波数が小さい方から９番目のサブキャリアのリソースエレメントに対しＳ７＊（１３）を配置する。
【０１６４】
第１の実施形態と本実施形態を比較すると、送信アンテナＴｘ２と送信アンテナＴｘ４において、第１の実施形態は、送信アンテナＴｘ４で送信アンテナＴｘ２のパンクチャリソースエレメントと同じサブキャリアにデータ信号を配置しているが、本実施形態は、送信アンテナＴｘ４で送信アンテナＴｘ２のパンクチャリソースエレメントと異なるサブキャリアにデータ信号を配置している。
【０１６５】
また、マッピング部２０５は、報知チャネルに前記パンクチャリソースエレメントが配置されるリソースエレメントの位置情報を信号として配置する。
【０１６６】
以下、複数の物理リソースブロックＰＲＢからなるＮ個のサブキャリアを有するＯＦＤＭシンボルについて説明をする。
Ｎ個のサブキャリアを有するＯＦＤＭシンボルについては、マッピング部６０５は、上記配置を繰り返し、データ信号を配置する。図２４は、送信信号Ｙと各送信アンテナＴｘ１〜Ｔｘ４が送信するデータ信号Ｙ１〜Ｙ４を示す図である。図２４の構成要素が持つ機能は、図１９の構成要素が持つ機能と同じである。
【０１６７】
図２４では、直並列変換部２０３がデータ信号Ｘを直並列変換し、ＳＦＢＣ符号化部６０４とマッピング部６０５は、前記ＳＦＢＣ符号化処理と周波数切換送信ダイバーシチＦＳＴＤ処理を行い、データ信号Ｙ１、Ｙ２、Ｙ３、Ｙ４を逆フーリエ変換部２０６１〜２０６４に出力する。
【０１６８】
パイロットシグナルを有さないＯＦＤＭシンボルについて空間周波数ブロック符号ＳＦＢＣと周波数切換送信ダイバーシチＦＳＴＤを適用した送信信号については、第１の実施形態と同じ式（１）であるため、説明は省略する。
【０１６９】
式（４）と式（５）は、パイロットシグナルを有するＯＦＤＭシンボルについて空間周波数ブロック符号ＳＦＢＣと周波数切換送信ダイバーシチＦＳＴＤを適用したデータＹ１、Ｙ２、Ｙ３、Ｙ４を列で表したものである。
【０１７０】
【数４】
2009164961.tif 000006
【０１７１】
【数５】
2009164961.tif 000007
【０１７２】
ここで、Ｓｌ（ｍ）（ｌとｍは正の整数）は、前記送信信号である。Ｙｉ（ｉは1桁の整数）は送信アンテナＴｘｉに対応するリソースエレメントに配置される送信信号の列である。また、ＭとＬは、Ｎからパイロットシグナルの数とパンクチャエレメントの数の合計を引いた整数である。
【０１７３】
式（４）は、１つの送信アンテナにつき、パイロットシグナルの電力を上げない場合に２つの送信信号に使用する電力を、パイロットシグナルの電力を上げるために使用する場合の信号を列で表したものである。
式（４）では、初めの４サブキャリアは、パイロットシグナルを配置しない送信アンテナＴｘ３とＴｘ４にＳＢＦＣ符合化された２つの異なる信号を配置する。
【０１７４】
このとき、マッピング部２０５は、送信アンテナＴｘ３と送信アンテナＴｘ４に信号を配置したサブキャリアには、他の送信アンテナＴｘ１、Ｔｘ２に信号を配置しない。そして、次の２サブキャリアは、すべてのアンテナで信号を配置しない。
【０１７５】
式（５）は、１つの送信アンテナにつき、パイロットシグナルの電力を上げない場合に４つの送信信号に使用する電力を、パイロットシグナルの電力を上げるために使用する場合の信号を列で表したものである。
式(５)では、パイロットシグナルを配置しない送信アンテナＴｘ３とＴｘ４にＦＢＣ符号化処理された信号を１つずつ配置し、送信アンテナＴｘ３と送信アンテナＴｘ４に信号を配置するサブキャリアでは送信アンテナＴｘ１とＴｘ２に信号を配置しない。そして、次の２サブキャリアは、すべてのアンテナで信号を配置せず、また、パイロットシグナルを送信するアンテナＴｘ１とＴｘ２にはデータ信号を配置しない。
【０１７６】
なお、式（１）では、送信信号Ｙ１、Ｙ２、Ｙ３、Ｙ４のうち、1番目の送信信号の信号要素の組（Ｓ１（１）、Ｓ２（２）、Ｓ３（３）、Ｓ４（４））と、Ｎ／４番目の送信信号の信号要素の組（Ｓ１（Ｎ−３）、Ｓ２（Ｎ−２）、Ｓ３（Ｎ−１）、Ｓ４（Ｎ））をＳＦＢＣ符号化処理と周波数切換ダイバーシチＦＳＴＣ処理をした要素のみを明示的に示す。しかし、その間の送信信号についても、２番目の送信信号の信号要素の組（Ｓ１（５）、Ｓ２（６）、Ｓ３（７）、Ｓ４（８））から（Ｎ／４−１）番目の送信信号の信号要素の組（Ｓ１（Ｎ−７）、Ｓ２（Ｎ−６）、Ｓ３（Ｎ−５）、Ｓ４（Ｎ−４））までを、同様のパターンを繰り返して配置するのはもちろんである。
式（４）と式（５）中の信号Ｙ１、Ｙ２、Ｙ３、Ｙ４は、１物理リソースブロック内の周波数領域で信号を配置するサブキャリアの数である、８サブキャリアで１つの送信信号の組となっており、１個目の送信信号の組とＮ／８番目の送信信号の組の要素のみを明示的に示すが、その間の送信信号についても、２番目の送信信号の組から（Ｎ／８−１）番目の組までを、同様のパターンを繰り返して配置する。
【０１７７】
以下、本実施形態である送信アンテナの送信信号の配置と送信アンテナの電力の関係を説明する。図２５は、図２０（ａ）中の時間軸で早い方から８個目の時間領域であるＯＦＤＭシンボルである。図２５は横軸を送信アンテナ、縦軸を周波数とし、各枡はリソースエレメントを表す。
Ｓｌは、前記データ信号を示し、Ｓｌ（ｍ）で直並列変換された信号の順番を示す正の整数ｍを省略したものである。また、符号Ｒａ（ａは１桁の数字）は、送信アンテナＴｘａから送信されるパイロットシグナルである。マッピング部２０５は、黒塗りのリソースエレメントは、他のアンテナにおいてパイロットシグナルを配置するリソースエレメントであり、信号を配置しない。また、マッピング部２０５は、白抜きのリソースエレメントには信号を配置しない。
ここで、データ信号の電力を「１」とし、電力を上げる前のパイロットシグナルの電力を「１」とする。
【０１７８】
図２５（ａ）は、仮に、データ信号を間引かないとしたときの図である。図２５（ａ）において、パイロットシグナルを送信する送信アンテナＴｘ１と送信アンテナＴｘ２に対応するリソースエレメントには、パイロットシグナルが２つ、データ信号が４つ配置されるので、送信アンテナＴｘ１と送信アンテナＴｘ２が送信するＯＦＤＭシンボルの電力は「６」である。一方、パイロットシグナルを送信しない送信アンテナＴｘ３と送信アンテナＴｘ４に対応するリソースエレメントには、データ信号が４つ配置されるので、送信アンテナＴｘ３と送信アンテナＴｘ４が送信するＯＦＤＭシンボルの電力は「４」となる。
【０１７９】
図２５（ｂ）は、本実施形態である送信アンテナＴｘ１で送信信号を２つ間引くときの図である。パイロットシグナルを送信する送信アンテナＴｘ１と送信アンテナＴｘ２に対応するＯＦＤＭシンボルにおいて、間引いたデータ信号の電力をパイロットシグナルの電力を上げるために使うので、パイロットシグナルの電力は「２」となる。
【０１８０】
図２５（ｂ）において、パイロットシグナルを送信する送信アンテナＴｘ１とＴｘ２に対応するリソースエレメントには、電力が「２」のパイロットシグナル２つ、電力が「１」のデータ信号が２つ配置されるので、送信アンテナＴｘ１と送信アンテナＴｘ２が送信するＯＦＤＭシンボルの電力は「６」となる。一方、パイロットシグナルを送信しない送信アンテナＴｘ３と送信アンテナＴｘ４に対応するリソースエレメントには、電力が「１」のデータ信号が４つ配置されるので、送信アンテナＴｘ３と送信アンテナＴｘ４が送信するＯＦＤＭシンボルの電力は「４」となる。
【０１８１】
図２５（ｃ）は、２つの空間周波数ブロック符号ＳＦＢＣと周波数切換送信ダイバーシチＦＳＴＤの処理をしたデータ信号のグループ４つ分のデータ信号を間引いた図である。パイロットシグナルを送信する送信アンテナＴｘ１と送信アンテナＴｘ２では、図２５（ｂ）と同じように、間引いたデータ信号の電力をパイロットシグナルの電力を上げるために使うので、パイロットシグナルの電力は「３」となる。
【０１８２】
図２５（ｃ）において、パイロットシグナルを送信する送信アンテナＴｘ１と送信アンテナＴｘ２に対応するリソースエレメントには、電力が「３」のパイロットシグナル２つ配置され、データ信号が配置されないので、送信アンテナＴｘ１と送信アンテナＴｘ２が送信するＯＦＤＭシンボルの電力は「６」となる。一方、パイロットシグナルを送信しない送信アンテナＴｘ３と送信アンテナＴｘ４に対応するリソースエレメントには、電力が「１」のデータ信号が４つ配置されるので、送信アンテナＴｘ３と送信アンテナＴｘ４が送信するＯＦＤＭシンボルの電力は「４」となる。
【０１８３】
次に、本実施形態である移動局装置について説明をする。図２６は、本実施形態に係る移動局装置の概略構成を示すブロック図である。
移動局装置は、受信処理部７０１と、制御部３０２と、送信処理部３０３とを備える。本実施形態と第１の実施形態を比較すると、受信処理部７０１が異なる。しかし、他の構成要素が持つ機能は第１の実施形態と同じであるので、第１の実施形態と同じ機能の説明は省略する。
【０１８４】
以下、受信処理部７０１の詳細について説明する。
図２７は、本実施形態である空間周波数ブロック符号ＳＦＢＣと周波数切換送信ダイバーシチＦＳＴＤの処理をした信号を受信する移動局装置の受信処理部７０１の内部構成を示す概略ブロック図である。本実施形態と第１の実施形態を比較すると、デマッピング部８０３とＳＦＢＣ復号化部８０５が異なる。しかし、他の構成要素が持つ機能は第１の実施形態と同じであるので、第１の実施形態と同じ機能の説明は省略する。
【０１８５】
デマッピング部８０３と伝搬路推定部４０４とＳＦＢＣ復号化部８０５とは信号を復調し、復調復号化部４０７に出力する。なお、詳細については、後述する。
デマッピング部８０３は、このデジタル信号をパイロットシグナル（参照信号）とデータ信号に分離する。デマッピング部８０３は、各送信アンテナのパイロットシグナルを伝搬路推定部４０４に出力し、パイロットシグナル以外の信号をＳＦＢＣ復号化部８０５に出力する。
【０１８６】
以下、デマッピング部８０３によるＳＦＢＣ復号化部８０５への出力の制御の詳細を説明する。
図２８は、本実施形態における基地局装置が備えるデマッピング部８０３とＳＦＢＣ復号化部８０５とを説明する図である。本実施形態と第１の実施形態を比較すると、本実施形態において、デマッピング部８０３とＳＦＢＣ符号化部と、最大比合成部４０６を備えない点とで異なる。しかし、他の構成要素が持つ機能は第１の実施形態と同じであるので説明は省略する。
【０１８７】
デマッピング部８０３は、フーリエ変換部４０２から入力されたデジタル信号をパイロットシグナル（参照信号）とデータ信号に分離する。そして、デマッピング部８０３は、該分離した各送信アンテナのパイロットシグナルを伝搬路推定部４０４に出力する。
さらに、デマッピング部８０３は、基地局装置が送信した前記報知チャネルに配置された信号より、パンクチャリソースエレメントが配置されるリソースエレメントの位置を特定する。そして、デマッピング部８０３は、パイロットシグナルが配置された時間領域で周波数が小さいほうから４つの連続するパンクチャリソースエレメントのすべてに信号が配置されているか否かを判断する。本実施形態では、すべてに信号が配置されていないので、該パンクチャリソースエレメントでは、データ信号がＳＦＢＣ符号化されていると判断する。
デマッピング部８０３は、データ信号をＳＦＢＣ復号化部８０５に出力する。
【０１８８】
ＳＦＢＣ復号化部８０５は、第１の実施形態と同じ合成部４０５１と伝搬路補償部４１０とを有する。
【０１８９】
次に動作について説明をする。
図２９は、本実施形態による基地局装置の動作を説明するフローチャートである。基地局装置の送信処理部は、データ制御部２０１が受け付けた各移動局装置宛ての情報データおよび制御データを変調符号化部２０２に出力し、変調符号化部２０２は、誤り訂正符号化して変調し、直並列変換部２０３に出力する（Ｓ３０１）。そして、直並列変換部２０３は、変調符号化部２０２が変調した送信信号を直並列変換し、ＳＦＢＣ符号化部６０４に出力する（Ｓ３０２）。
ＳＦＢＣ符号化部６０４は、直並列変換部２０３から入力された信号に対し、空間周波数ブロック符号ＳＦＢＣ処理を行ってマッピング部６０５に出力する（Ｓ３０３）。
参照信号生成部では、各送信アンテナＴｘ１〜Ｔｘ４用のパイロットシグナルを生成し、マッピング部６０５に出力する（Ｓ３０５）。そして、マッピング部６０５は、参照信号生成部２１０から入力されたパイロットシグナルを、先にステップにて飛ばしたリソースエレメントに配置する（Ｓ３０６）。
【０１９０】
次に、マッピング部６０５は、ＳＦＢＣ符号化部６０４がＳＦＢＣ符号化した送信信号を、周波数切換送信ダイバーシチＦＳＴＤとなるように、すなわち周波数領域に隣接するリソースエレメントで異なる送信アンテナペアとなるように順番に配置する。
このようにパイロットシグナルとＳＦＢＣ符号化された信号をリソースエレメントに配置していき、ＯＦＤＭシンボルの全てのサブキャリアのリソースエレメントに信号を配置すると、次のＯＦＤＭシンボルのサブキャリアのリソースエレメントに信号を配置する（Ｓ３０６）。
【０１９１】
逆フーリエ変換部は、それぞれ対応する送信アンテナＴｘ１〜Ｔｘ４用の信号列であって、マッピング部が各サブキャリアのリソースエレメントに配置した周波数領域に並んだ信号列を逆フーリエ変換する（Ｓ３０７）。Ｃｙｃｌｉｃ  Ｐｒｅｆｉｘ付加部２０７１〜２０７４は、これにサイクリックプレフィックスを付加する（Ｓ３０８）。無線送信部２０８１〜２０８４は、アンテナＴｘ１〜Ｔｘ４を介して、下りリンクのデータ送信をする（Ｓ３０９）。
【０１９２】
図３０は、本実施形態による移動局装置の処理を示すフローチャートである。
無線受信部４０１は、下りリンクにて受信した信号からサイクリックプレフィックスを除去し、フーリエ変換部４０２へ出力する（Ｓ４０１）。フーリエ変換部４０２は、無線受信部４０１から入力された信号をフーリエ変換して、各サブキャリアに分離し、デマッピング部８０３に出力する（Ｓ４０２）。
【０１９３】
デマッピング部８０３は、フーリエ変換部４０２から入力された信号のうち、下りリンクパイロットチャネルが配置されているリソースエレメントからパイロットシグナルを抽出し、伝搬路推定部４０４に出力する（Ｓ４０３）。
伝搬路推定部４０４は、デマッピング部８０３から入力されたパイロットシグナルに基づき、下りリンクパイロットチャネルが割り当てられているリソースエレメントのパイロットシグナルを送信した送信アンテナＴｘ１〜Ｔｘ４からの伝搬路推定値を算出する（Ｓ４０４）。さらに、伝搬路推定部４０４は、該算出した伝搬路推定値を用いて補間することで、その他のリソースエレメントの伝搬路推定値を算出する（Ｓ４０５）。
【０１９４】
デマッピング部８０３は、フーリエ変換部４０２から入力された信号のうち、パイロットシグナルが割り当てられていないリソースエレメントからデータ信号を抽出する（Ｓ４０６）。デマッピング部８０３は、該抽出したデータ信号をＳＦＢＣ復号化部８０５へ出力する。ＳＦＢＣ復号化部８０５は、伝搬路推定部４０４が算出した伝搬路推定値を用いて、該データ信号をＳＦＢＣ復号化する。（Ｓ４０７）。
【０１９５】
復調復号化部４０７は、ＳＦＢＣ復号化部４０５と最大比合成部４０６により、復号化されたデータ信号を、並直列変換する（Ｓ４０８）。そして、復調復号化部４０７は、該直並列変換した信号を、復調し、誤り訂正復号化した制御データと情報データとを、それぞれ、制御部３０２と外部である周辺回路に出力する（Ｓ４０９）。
【０１９６】
このように、本実施形態によれば、複数のアンテナを用いた無線システムにおいて、データ信号と制御信号を間引くことにより、複数アンテナのうち一部のアンテナが送信するパイロットシグナルの電力をデータ信号と制御信号より上げても、アンテナ間の消費電力のバランスは崩れない。これにより、パイロットシグナルの送信電力を上げた場合であっても、アンテナ間の消費電力のバランスが崩れず、すべての送信アンテナが無線送信装置の電力を有効に利用でき、データ信号の量を減らさずにデータ信号を送信することができる。
本実施形態は第１の実施形態に比べ、ＳＦＢＣ符号化部においてパンクチャリソースエレメントの配置に関する判断が不要であり、また、最大比合成部の処理が不要であるので、基地局装置と移動局装置における該判断や処理の回路やプログラムを簡易化することができる。
【０１９７】
なお、本実施形態では、図２０のように、Ｄ１２とＤ３４を配置しているが、本発明の配置方法は、これに限らず、図２０（ａ）と（ｂ）の黒丸で囲んだ信号が配置できるリソースエレメントのうち、２つ連続したリソースエレメントにＳＦＢＣ符号化処理をした信号を配置したものでもよい。
【０１９８】
上記各実施形態では、移動局装置は、パンクチャリソースエレメントの位置を、報知チャネルより特定する。しかし、本発明は、これに限られず、例えば、事前に該配置情報を決定し、移動局装置に設けた記憶部に記憶してもよい。
【０１９９】
また、図１における無線リソース制御部、制御部、受信処理部、送信処理部、および図１３における受信処理部、制御部、送信処理部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０２００】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０２０１】
以上、この発明の実施形態を、図面を参照して詳述してきたが、具体的な構成はこの実施形態に限られるものではなく、この発明の要旨を逸脱しない範囲の設計変更等も含まれる。
【産業上の利用可能性】
【０２０２】
本発明は、移動体通信システムに用いて好適であるが、これに限定されない。
【０２０３】
本発明に関わる移動局装置及び基地局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。
プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。
また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
また市場に流通させる場合には、可搬型の記録媒体にプログラムを格納して流通し、また、インターネット等のネットワークを介して接続されたサーバコンピュータに転送することができる。この場合、サーバコンピュータの記憶装置も本発明に含まれる。
【０２０４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【図面の簡単な説明】
【０２０５】
【図１】本発明の第１の実施形態に係る基地局装置のブロック図である。
【図２】本発明の第１の実施形態に係る基地局装置の送信処理部のブロック図である。
【図３】本発明の第１の実施形態に係る無線フレームの構成図である。
【図４】本発明の第１の実施形態に係るパイロットシグナルの構成図である。
【図５】本発明の第１の実施形態に係るパイロットシグナルの電力を増幅しない場合のリソースエレメントの割り当てを説明する説明図である。
【図６】本発明の第１の実施形態に係るリソースエレメントと送信アンテナの関係を説明する説明図である。
【図７】本発明の第１の実施形態に係るＳＦＢＣ符号化処理の説明図である。
【図８】本発明の第１の実施形態に係るＳＦＢＣ符号化処理の別の説明図である。
【図９】本発明の第１の実施形態に係る信号のリソースエレメントへの配置を説明する説明図である。
【図１０】本発明の第１の実施形態に係る信号のリソースエレメントへの配置を説明する別の説明図である。
【図１１】本発明の第１の実施形態に係るデータ信号の説明図である。
【図１２】本発明の第１の実施形態に係る送信アンテナごとの電力を説明する説明図である。
【図１３】本発明の第１の実施形態に係る移動局装置のブロック図である。
【図１４】本発明の第１の実施形態に係る移動局装置の受信処理部のブロック図である。
【図１５】本発明の第１の実施形態に係るデマッピング部とＳＦＢＣ復号化部と最大比合成部のブロック図である。
【図１６】本発明の第１の実施形態に係る基地局装置のフロー図である。
【図１７】本発明の第１の実施形態に係る移動局装置のフロー図である。
【図１８】本発明の第２の実施形態に係る基地局装置のブロック図である。
【図１９】本発明の第２の実施形態に係る基地局装置の送信処理部のブロック図である。
【図２０】本発明の第２の実施形態に係るリソースエレメントと送信アンテナの関係を説明する説明図である。
【図２１】本発明の第２の実施形態に係るＳＦＢＣ符号化処理の説明図である。
【図２２】本発明の第２の実施形態に係る信号のリソースエレメントへの配置を説明する説明図である。
【図２３】本発明の第２の実施形態に係る信号のリソースエレメントへの配置を説明する別の説明図である。
【図２４】本発明の第２の実施形態に係るデータ信号の説明図である。
【図２５】本発明の第２の実施形態に係る送信アンテナごとの電力を説明する説明図である。
【図２６】本発明の第２の実施形態に係る移動局装置のブロック図である。
【図２７】本発明の第２の実施形態に係る移動局装置の受信処理部のブロック図である。
【図２８】本発明の第２の実施形態に係るデマッピング部とＳＦＢＣ復号化部のブロック図である。
【図２９】本発明の第２の実施形態に係る基地局装置のフロー図である。
【図３０】本発明の第２の実施形態に係る移動局装置のフロー図である。
【図３１】従来の実施形態に係る送信アンテナごとの電力を説明する説明図である。
【図１】
2009164961.tif 000008
【図２】
2009164961.tif 000009
【図３】
2009164961.tif 000010
【図４】
2009164961.tif 000011
【図５】
2009164961.tif 000012
【図６】
2009164961.tif 000013
【図７】
2009164961.tif 000014
【図８】
2009164961.tif 000015
【図９】
2009164961.tif 000016
【図１０】
2009164961.tif 000017
【図１１】
2009164961.tif 000018
【図１２】
2009164961.tif 000019
【図１３】
2009164961.tif 000020
【図１４】
2009164961.tif 000021
【図１５】
2009164961.tif 000022
【図１６】
2009164961.tif 000023
【図１７】
2009164961.tif 000024
【図１８】
2009164961.tif 000025
【図１９】
2009164961.tif 000026
【図２０】
2009164961.tif 000027
【図２１】
2009164961.tif 000028
【図２２】
2009164961.tif 000029
【図２３】
2009164961.tif 000030
【図２４】
2009164961.tif 000031
【図２５】
2009164961.tif 000032
【図２６】
2009164961.tif 000033
【図２７】
2009164961.tif 000034
【図２８】
2009164961.tif 000035
【図２９】
2009164961.tif 000036
【図３０】
2009164961.tif 000037
【図３１】
2009164961.tif 000038